(57)【特許請求の範囲】
【請求項１】
基地局、又は前記基地局によるサービスを受けるユーザ機器における強化された物理チャネル伝送方法であって、
１つ又は複数の強化された物理チャネル伝送レベルのそれぞれに対応する第１の情報を決定するステップであって、各強化された物理チャネル伝送レベルは前記第１の情報によってそれぞれ構成され、前記第１の情報は、物理チャネルの強化された伝送のものである反復構成情報及び強化された伝送構成情報を含み、前記反復構成情報は前記強化された伝送の反復回数であり、前記強化された伝送構成情報は、強化された物理チャネル伝送機会の無線フレーム構成情報及び前記強化された物理チャネル伝送機会の構成情報の少なくとも１つであり、ステップと、
前記第１の情報により、各１つ以上の強化された物理チャネル伝送レベルに対応する前記強化された物理チャネル伝送機会の開始無線フレーム、及び前記強化された物理チャネル伝送機会の、前記開始無線フレーム内の開始位置を決定するステップであって、前記開始位置は、開始サブフレームであるステップと、
前記開始無線フレーム内の前記開始位置を開始ポイントとして使用することによって前記物理チャネルの前記強化された伝送を実行するステップとを備え、
各強化された物理チャネル伝送レベルに対応する前記開始無線フレーム内の第（Ｘ＋１）の物理チャネル伝送機会における第１のサブフレームが、前記開始サブフレームとして使用され、ここで、
Ｘ＝ｍｏｄ（ｍ×Ｒｅｐ＿ｎｕｍ，ＯＮ）であり、Ｒｅｐ＿ｎｕｍは、反復回数であり、ＯＮは、物理チャネル伝送機会を有する無線フレームに備えられた物理チャネル伝送機会の数量であり、ｍは、０以上の整数であり、ｍｏｄは、モジュロ関数である、強化された物理チャネル伝送方法。
【請求項２】
前記複数の強化された物理チャネル伝送レベルに対応する前記第１の情報の中の前記強化された伝送構成情報は、同一である請求項１に記載の方法。
【請求項３】
前記開始無線フレーム内の前記開始位置を開始ポイントとして使用することによって前記物理チャネルの前記強化された伝送を前記実行するステップの前に、
前記反復構成情報、前記強化された物理チャネル伝送機会の前記無線フレーム構成情報、及び前記強化された物理チャネル伝送機会の前記構成情報により前記物理チャネルの前記強化された伝送の前記反復回数を決定するステップを更に備える請求項２に記載の方法。
【請求項４】
前記開始無線フレーム内の前記開始位置を開始ポイントとして使用することによって前記物理チャネルの前記強化された伝送を前記実行するステップは、
前記無線フレーム内の前記開始位置を開始ポイントとして使用することによって前記反復回数の連続する強化された物理チャネル伝送機会のそれぞれにおいて前記物理チャネルを繰り返し伝送するステップを備える請求項３に記載の方法。
【請求項５】
前記無線フレームのシステムフレーム番号、ＳＦＮは、以下の式により獲得される値である方法であって、
前記式は、以下のとおりであり、すなわち、
ＳＦＮ＝ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔであり、又は
ＳＦＮ  ｍｏｄ  （Ｔ×ＲＦ＿Ｄ×Ｒｅｐ＿ｎｕｍ／ＯＮ）＝ＲＦ＿ｏｆｆｓｅｔであり、
ここで、Ｒｅｐ＿ｎｕｍは、前記反復回数であり、ＲＦ＿Ｄは、前記強化された物理チャネル伝送機会の前記無線フレーム構成情報によって決定され、Ｏｃｃａｓｉｏｎ＿ｏｆｆｓｅｔは、物理チャネル伝送機会オフセットであり、ＯＮは、物理チャネル伝送機会を有する無線フレームに備えられた物理チャネル伝送機会の数量であり、ＲＦ＿ｏｆｆｓｅｔは、無線フレームオフセットであり、Ｔは、前記強化された物理チャネル伝送の間隔であり、ｍは、０以上の整数であり、ｆｌｏｏｒは、切り捨て関数であり、ｍｏｄは、モジュロ関数である請求項４に記載の方法。
【請求項６】
１つ又は複数の強化された物理チャネル伝送レベルのそれぞれに対応する第１の情報を前記決定するステップは、
第１の閾値により、前記１つ又は複数の強化された物理チャネル伝送レベルのそれぞれに対応する前記第１の情報を決定するステップであって、前記第１の閾値は、前記ユーザ機器の許容可能な最大送信電力、初期ターゲットプリアンブル受信電力、プリアンブルフォーマットに対応するオフセット値、電力ランピングステップ、プリアンブル伝送試行回数、又はターゲット物理アップリンクチャネル受信電力のうちの１つ又は複数により決定されるステップを備える請求項１から５のいずれか一項に記載の方法。
【請求項７】
送信機と、受信機と、メモリと、前記送信機、前記受信機、及び前記メモリに接続されたプロセッサとを含む通信デバイスであって、
前記プロセッサは、１つ又は複数の強化された物理チャネル伝送レベルのそれぞれに対応する第１の情報を決定するように構成され、各強化された物理チャネル伝送レベルは前記第１の情報によってそれぞれ構成され、前記第１の情報は、物理チャネルの強化された伝送のものである反復構成情報及び強化された伝送構成情報を備え、前記反復構成情報は前記強化された伝送の反復回数であり、前記強化された伝送構成情報は、強化された物理チャネル伝送機会の無線フレーム構成情報及び前記強化された物理チャネル伝送機会の構成情報の少なくとも１つであり、前記プロセッサは、前記第１の情報により、各１つ以上の強化された物理チャネル伝送レベルに対応する前記強化された物理チャネル伝送機会の開始無線フレーム、及び前記強化された物理チャネル伝送機会の、前記開始無線フレーム内の開始位置を決定するように構成され、前記開始位置は、開始サブフレームであり、前記プロセッサは、前記開始無線フレームの前記開始位置を開始ポイントとして使用することによって前記物理チャネルの前記強化された伝送を実行するように構成され、
各強化された物理チャネル伝送レベルに対応する前記開始無線フレーム内の第（Ｘ＋１）の物理チャネル伝送機会における第１のサブフレームが、前記開始サブフレームとして使用され、ここで、
Ｘ＝ｍｏｄ（ｍ×Ｒｅｐ＿ｎｕｍ，ＯＮ）であり、Ｒｅｐ＿ｎｕｍは、反復回数であり、ＯＮは、物理チャネル伝送機会を有する無線フレームに備えられた物理チャネル伝送機会の数量であり、ｍは、０以上の整数であり、ｍｏｄは、モジュロ関数である、通信デバイス。
【請求項８】
前記複数の強化された物理チャネル伝送レベルに対応する前記第１の情報の中の前記強化された伝送構成情報は、同一である請求項７に記載の通信デバイス。
【請求項９】
前記プロセッサは、前記反復構成情報、前記強化された物理チャネル伝送機会の前記無線フレーム構成情報、及び前記強化された物理チャネル伝送機会の前記構成情報の中の１つ又は複数のタイプの情報により前記物理チャネルの前記強化された伝送の前記反復回数を決定するように更に構成される請求項８に記載の通信デバイス。
【請求項１０】
前記プロセッサは、前記無線フレーム内の前記開始位置を開始ポイントとして使用することによって前記反復回数の連続する強化された物理チャネル伝送機会のそれぞれにおいて前記物理チャネルを繰り返し伝送するように特に構成される請求項９に記載の通信デバイス。
【請求項１１】
前記無線フレームのシステムフレーム番号、ＳＦＮは、以下の式により獲得される値である通信デバイスであって、
前記式は、以下のとおりであり、すなわち、
ＳＦＮ＝ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔであり、又は
ＳＦＮ  ｍｏｄ  （Ｔ×ＲＦ＿Ｄ×Ｒｅｐ＿ｎｕｍ／ＯＮ）＝ＲＦ＿ｏｆｆｓｅｔであり、
ここで、Ｒｅｐ＿ｎｕｍは、前記反復回数であり、ＲＦ＿Ｄは、拡張された物理チャネル伝送機会の前記無線フレーム構成情報によって決定され、Ｏｃｃａｓｉｏｎ＿ｏｆｆｓｅｔは、物理チャネル伝送機会オフセットであり、ＯＮは、物理チャネル伝送機会を有する無線フレームに備えられた物理チャネル伝送機会の数量であり、ＲＦ＿ｏｆｆｓｅｔは、無線フレームオフセットであり、Ｔは、前記強化された物理チャネル伝送の間隔であり、ｍは、０以上の整数であり、ｆｌｏｏｒは、切り捨て関数であり、ｍｏｄは、モジュロ関数である請求項１０に記載の通信デバイス。
【請求項１２】
前記プロセッサは、第１の閾値により、前記１つ又は複数の強化された物理チャネル伝送レベルのそれぞれに対応する前記第１の情報を決定するように更に構成される通信デバイスであって、前記第１の閾値は、ユーザ機器の許容可能な最大送信電力、初期ターゲットプリアンブル受信電力、プリアンブルフォーマットに対応するオフセット値、電力ランピングステップ、プリアンブル伝送試行回数、又はターゲット物理アップリンクチャネル受信電力のうちの１つ又は複数により決定される請求項７から１１のいずれか一項に記載の通信デバイス。
【発明の詳細な説明】
【技術分野】
【０００１】
本発明の実施形態は、通信技術に関し、詳細には、強化された物理チャネル伝送方法、通信デバイス、ユーザ機器、及び基地局に関する。
【背景技術】
【０００２】
通信技術の開発において、強化された伝送が、カバレッジエリアにおける通信の強化を実施するのに使用される。例えば、反復される伝送、スペクトル拡散、伝送時間間隔バンドリング、又は電力増加が、強化された伝送を実行するのに使用されて、カバレッジエリアの縁端部における端末装置との通信を実施するようにする。
【０００３】
しかし、前述した従来の技術によれば、異なる端末装置に関して異なるレベルの強化された物理チャネル伝送が実施されることは可能でない。
【発明の概要】
【０００４】
本発明の実施形態は、強化された物理チャネル伝送方法、ユーザ機器、及び基地局を提供して、異なる端末装置に関して異なるレベルの強化された伝送を実施するようにする。
【０００５】
第１の態様によれば、本発明の実施形態が、
１つ又は複数の強化された物理チャネル伝送レベルのそれぞれに対応する第１の情報を決定することであって、第１の情報は、物理チャネルの強化された伝送のものである反復構成情報及び強化された伝送構成情報を含むこと、
第１の情報により、各強化された物理チャネル伝送レベルに対応する強化された物理チャネル伝送機会の開始無線フレーム、及び強化された物理チャネル伝送機会の、開始無線フレーム内の開始位置を決定することであって、開始位置は、開始サブフレームである、又は開始位置は、開始物理チャネル伝送機会であること、及び
開始無線フレーム内の開始位置を開始ポイントとして使用することによって物理チャネルの強化された伝送を実行することを含む強化された物理チャネル伝送方法を提供する。
【０００６】
第１の可能な実施様態において、強化された伝送構成情報は、強化された伝送のために使用される時間長の構成情報、無線フレーム内の物理チャネル伝送機会の構成情報、物理チャネル伝送機会の無線フレーム構成情報、強化された伝送のサイクル情報、物理チャネルによって使用されるフォーマット、強化された伝送の無線フレームオフセット情報、強化された伝送のサブフレームオフセット情報、物理チャネル伝送機会オフセット情報、ルートシーケンスインデックス情報、高速識別情報、ゼロ相関ゼロ構成情報、及び周波数オフセット情報の中の１つ又は複数のタイプの情報を含む。
【０００７】
第１の態様、又は第１の態様の第１の可能な実施様態を参照して、第２の可能な実施様態において、複数の強化された物理チャネル伝送レベルに対応する第１の情報の中の少なくとも１つのタイプの情報は、同一である。
【０００８】
第１の態様の第２の可能な実施様態を参照して、第３の可能な実施様態において、複数の強化された物理チャネル伝送レベルに対応する第１の情報の中の少なくとも１つのタイプの情報が同一であることは、
複数の強化された物理チャネル伝送レベルに対応する、無線フレーム内の物理チャネル伝送機会の構成情報、物理チャネル伝送機会の無線フレーム構成情報、物理チャネルによって使用されるフォーマット、強化された物理チャネル伝送の無線フレームオフセット情報、強化された物理チャネル伝送のサブフレームオフセット情報、強化された物理チャネル伝送の物理チャネル伝送機会オフセット情報、ルートシーケンスインデックス情報、高速識別情報、ゼロ相関ゼロ構成情報、及び周波数オフセット情報の中の少なくとも１つのタイプの情報が、同一であることを含む。
【０００９】
第１の態様の第３の可能な実施様態を参照して、第４の可能な実施様態において、複数の強化された物理チャネル伝送レベルに対応する第１の情報の中の少なくとも１つのタイプの情報が同一であることは、
複数の強化された物理チャネル伝送レベルに対応する、強化された物理チャネル伝送の反復構成情報、強化された物理チャネル伝送のために使用される時間長の構成情報、及び強化された物理チャネル伝送サイクル情報の中の少なくとも１つのタイプの情報が、異なることを更に含む。
【００１０】
第１の態様の第１の可能な実施様態から第１の態様の第４の可能な実施様態のうちのいずれか１つを参照して、第５の可能な実施様態において、強化された物理チャネル伝送の間隔は、サイクル情報、無線フレーム構成情報、反復構成情報、及び無線フレーム内の物理チャネル伝送機会の構成情報の中の１つ又は複数のタイプの情報により決定される。
【００１１】
第１の態様の第２の可能な実施様態又は第１の態様の第５の可能な実施様態のいずれか１つを参照して、第６の可能な実施様態において、開始無線フレーム内の開始位置を開始ポイントとして使用することによって物理チャネルの強化された伝送を実行することの前に、方法は、
反復構成情報、無線フレーム構成情報、及び無線フレーム内の物理チャネル伝送機会の構成情報の中の１つ又は複数のタイプの情報により物理チャネルの強化された伝送の反復回数を決定すること、又は反復構成情報及び第２のパラメータ情報により物理チャネルの強化された伝送の反復回数を決定することであって、第２のパラメータは、プリアンブルフォーマット若しくは強化された物理チャネル伝送レベルにより決定されるパラメータであることを更に含む。
【００１２】
第１の態様の第６の可能な実施様態を参照して、第７の可能な実施様態において、開始無線フレーム内の開始位置を開始ポイントとして使用することによって物理チャネルの強化された伝送を実行することの前に、方法は、
無線フレーム内の開始位置を開始ポイントとして使用することによって反復回数の連続する物理チャネル伝送機会のそれぞれにおいて物理チャネルを繰り返し伝送することを更に含む。
【００１３】
第１の態様、又は第１の態様の第１から第７の可能な実施様態のいずれか１つを参照して、第８の可能な実施様態において、開始無線フレームのシステムフレーム番号ＳＦＮが、強化された伝送サイクル及び無線フレームオフセットにより決定される。
【００１４】
第１の態様の第７の可能な実施様態を参照して、第９の可能な実施様態において、ＳＦＮは、以下の式により獲得される値である。すなわち、
式は、以下のとおりである。すなわち、ＳＦＮ  ｍｏｄ（強化された物理チャネル伝送の間隔）＝強化された物理チャネル伝送の無線フレームオフセット、又は（１０×ＳＦＮ＋ＳＦｓｔａｒｔ−ＳＦ＿ｏｆｆｓｅｔ）  ｍｏｄ  Ｔ＝０であり、ここで、ＳＦ＿ｏｆｆｓｅｔは、サブフレームオフセットであり、ＳＦｓｔａｒｔは、開始サブフレームのインデックスであり、Ｔは、強化された物理チャネル伝送の間隔であり、ｍｏｄは、モジュロ関数であり、又は
ＳＦＮ＝ＲＦ＿Ｄ×ｆｌｏｏｒ（（ｍ×Ｒｅｐ＿ｎｕｍ＋Ｏｃｃａｓｉｏｎ＿ｏｆｆｓｅｔ／ＯＮ）＋ＲＦ＿ｏｆｆｓｅｔであり、又は
ＳＦＮ＝ｍｏｄ（ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ，Ｋ）であり、又は
ＳＦＮ＝ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ、且つＳＦＮ  ｍｏｄ  Ｔ＝ＲＦ＿ｏｆｆｓｅｔであり、又は
ＳＦＮ＝ｍｏｄ（ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ，Ｋ）、且つＳＦＮ  ｍｏｄ  Ｔ＝ＲＦ＿ｏｆｆｓｅｔであり、又は
ＳＦＮ  ｍｏｄ  （Ｔ×ＲＦ＿Ｄ×Ｒｅｐ＿ｎｕｍ／ＯＮ）＝ＲＦ＿ｏｆｆｓｅｔであり、又は
ＳＦＮ  ｍｏｄ  （ＲＦ＿Ｄ×Ｒｅｐ＿ｎｕｍ／ＯＮ）＝ＲＦ＿ｏｆｆｓｅｔ、ここで、Ｒｅｐ＿ｎｕｍは、反復回数であり、ＲＦ＿Ｄは、物理チャネル伝送機会の無線フレーム構成情報によって決定され、Ｏｃｃａｓｉｏｎ＿ｏｆｆｓｅｔは、物理チャネル伝送機会オフセットであり、ＯＮは、物理チャネル伝送機会を有する無線フレームに含められた物理チャネル伝送機会の数量であり、ＲＦ＿ｏｆｆｓｅｔは、無線フレームオフセットであり、Ｋは、固定の定数であり、Ｔは、強化された物理チャネル伝送の間隔であり、ｍは、０以上の整数であり、ｆｌｏｏｒは、切り捨て関数であり、ｍｏｄは、モジュロ関数である。
【００１５】
第１の態様、又は第１の態様の第１から第８の可能な実施様態のいずれか１つを参照して、第１０の可能な実施様態において、強化された物理チャネル伝送の開始サブフレームは、開始無線フレーム内の第（Ｏｃｃａｓｉｏｎ＿ｏｆｆｓｅｔ＋１）の物理チャネル伝送機会における第１のサブフレームであり、又は
開始サブフレームのインデックスＳＦｓｔａｒｔは、以下の式により獲得される値であり、すなわち、
（１０×ｎｆ＋ＳＦｓｔａｒｔ−ＳＦ＿ｏｆｆｓｅｔ）  ｍｏｄ  Ｔ＝０であり、又は
ｆｌｏｏｒ（ｎｓ／２）  ｍｏｄ  Ｔ＝ＳＦ＿ｏｆｆｓｅｔであり、又は
（ＳＦｓｔａｒｔ−ＳＦ＿ｏｆｆｓｅｔ）  ｍｏｄ  Ｔ＝０であり、又は
各強化された物理チャネル伝送レベルに対応する開始無線フレーム内の第（Ｘ＋１）の物理チャネル伝送機会における第１のサブフレームが、開始サブフレームとして使用され、ここで、
Ｘ＝ｍｏｄ（ｍ×Ｒｅｐ＿ｎｕｍ，ＯＮ）であり、Ｒｅｐ＿ｎｕｍは、反復回数であり、Ｏｃｃａｓｉｏｎ＿ｏｆｆｓｅｔは、物理チャネル伝送機会オフセットであり、ＯＮは、物理チャネル伝送機会を有する無線フレームに含められた物理チャネル伝送機会の数量であり、Ｔは、強化された伝送間隔であり、ｎｆは、無線フレームの番号であり、ＳＦ＿ｏｆｆｓｅｔは、サブフレームオフセットであり、ｎｓは、開始サブフレーム内のタイムスロットの番号であり、ｍは、０以上の整数であり、ｍｏｄは、モジュロ関数であり、ｆｌｏｏｒは、切り捨て関数である。
【００１６】
第１の態様、又は第１の態様の第１から第９の可能な実施様態のいずれか１つを参照して、第１１の可能な実施様態において、開始物理チャネル伝送機会は、開始無線フレーム内の第（Ｏｃｃａｓｉｏｎ＿ｏｆｆｓｅｔ＋１）の物理チャネル伝送機会であり、又は
開始物理チャネル伝送機会は、各強化された物理チャネル伝送レベルに対応する開始無線フレーム内の第（Ｘ＋１）の物理チャネル伝送機会であり、ここで、Ｘ＝ｍｏｄ（ｍ×Ｒｅｐ＿ｎｕｍ，ＯＮ）であり、且つ
開始物理チャネル伝送機会のインデックスＯｃｃａｓｉｏｎｓｔａｒｔは、以下の式により獲得される値であり、式は、以下を含む。すなわち、
（１０×ｎｆ＋Ｏｃｃａｓｉｏｎｓｔａｒｔ−Ｏｃｃａｓｉｏｎ＿ｏｆｆｓｅｔ）  ｍｏｄ  Ｔ＝０であり、又は
（Ｏｃｃａｓｉｏｎｓｔａｒｔ−Ｏｃｃａｓｉｏｎ＿ｏｆｆｓｅｔ）  ｍｏｄ  Ｔ＝０であり、ここで、Ｒｅｐ＿ｎｕｍは、反復回数であり、Ｏｃｃａｓｉｏｎ＿ｏｆｆｓｅｔは、物理チャネル伝送機会オフセットであり、ＯＮは、物理チャネル伝送機会を有する無線フレームに含められた物理チャネル伝送機会の数量であり、Ｔは、強化された物理チャネル伝送の間隔であり、ｎｆは、無線フレームの番号であり、ｍは、０以上の整数であり、ｍｏｄは、モジュロ関数であり、ｆｌｏｏｒは、切り捨て関数である。
【００１７】
第１の態様、又は第１の態様の第１から第１１の可能な実施様態のいずれか１つを参照して、第１２の可能な実施様態において、強化された物理チャネル伝送の無線フレームオフセットは、０であり、且つ／又は
サブフレームオフセットは、無線フレーム内の第１の物理チャネル伝送機会における第１のサブフレームのインデックスであり、且つ／又は
強化された物理チャネル伝送の物理チャネル伝送機会オフセットは、０である。
【００１８】
第１の態様、又は第１の態様の第１から第１２の可能な実施様態のいずれか１つを参照して、第１３の可能な実施様態において、１つ又は複数の強化された物理チャネル伝送レベルのそれぞれに対応する第１の情報を決定することは、
第１の閾値により、１つ又は複数の強化された物理チャネル伝送レベルのそれぞれに対応する第１の情報を決定することであって、第１の閾値は、ユーザ機器の許容可能な最大送信電力、初期ターゲットプリアンブル受信電力、プリアンブルフォーマットに対応するオフセット値、電力ランピングステップ、プリアンブル伝送試行回数、又はターゲット物理アップリンクチャネル受信電力のうちの１つ又は複数により決定される。
【００１９】
第２の態様によれば、本発明の実施形態が、
プリアンブルシーケンスを受信すること、及び
プリアンブルシーケンスが第１のリソース上で受信された場合、プリアンブルが第１のモードで伝送されたと決定すること、又はプリアンブルシーケンスが第２のリソース上で受信された場合、プリアンブルが第２のモードで、且つ／又は許容可能な最大送信電力で伝送されたと決定することであって、第１のモードは、通常の伝送モード又はカバレッジ強化されていない伝送モードであり、第２のモードは、強化された伝送モードであることを含む物理チャネルモードを決定するための方法を提供する。
【００２０】
第３の態様によれば、本発明の実施形態が、
ユーザ機器の第１のパラメータ値が第１の閾値以下であるかどうかを決定することであって、第１の閾値は、ユーザ機器の許容可能な最大送信電力、初期ターゲットプリアンブル受信電力、プリアンブルフォーマットに対応するオフセット値、電力ランピングステップ、プリアンブル伝送試行回数、又はターゲット物理アップリンクチャネル受信電力のうちの１つ又は複数により決定されること、及び
ユーザ機器の第１のパラメータ値が第１の閾値以下である場合、第１のリソースを使用することによって、且つ／又は第１のモードで物理チャネルを伝送することであって、第１のモードは、通常の伝送モード又はカバレッジ強化されていない伝送モードであり、又はユーザ機器の第１のパラメータ値が第１の閾値より大きい場合、第２のリソースを使用することによって、且つ／又は第２のモードで物理チャネルの強化された伝送を実行することであって、第２のモードは、強化された伝送モードであることを含む物理チャネルモードを決定するための方法を提供する。
【００２１】
第４の態様によれば、本発明の実施形態が、送信機と、受信機と、メモリと、送信機、受信機、及びメモリに別々に接続されたプロセッサとを含む通信デバイスであって、
プロセッサは、１つ又は複数の強化された物理チャネル伝送レベルのそれぞれに対応する第１の情報を決定するように構成され、第１の情報は、物理チャネルの強化された伝送のものである反復構成情報及び強化された伝送構成情報を含み、プロセッサは、第１の情報により、各強化された物理チャネル伝送レベルに対応する強化された物理チャネル伝送機会の開始無線フレーム、及び強化された物理チャネル伝送機会の、開始無線フレーム内の開始位置を決定するように構成され、開始位置は、開始サブフレームであり、又は開始位置は、開始物理チャネル伝送機会であり、プロセッサは、開始無線フレームの開始位置を開始ポイントとして使用することによって物理チャネルの強化された伝送を実行するように構成される通信デバイスを提供する。
【００２２】
第１の可能な実施様態において、強化された伝送構成情報は、強化された伝送のために使用される時間長の構成情報、無線フレーム内の物理チャネル伝送機会の構成情報、物理チャネル伝送機会の無線フレーム構成情報、強化された伝送のサイクル情報、物理チャネルによって使用されるフォーマット、強化された伝送の無線フレームオフセット情報、強化された伝送のサブフレームオフセット情報、物理チャネル伝送機会オフセット情報、ルートシーケンスインデックス情報、高速識別情報、ゼロ相関ゼロ構成情報、及び周波数オフセット情報の中の１つ又は複数のタイプの情報を含む。
【００２３】
第４の態様、又は第４の態様の第１の可能な実施様態を参照して、第２の可能な実施様態において、複数の強化された物理チャネル伝送レベルに対応する第１の情報の中の少なくとも１つのタイプの情報は、同一である。
【００２４】
第４の態様の第２の可能な実施様態を参照して、第３の可能な実施様態において、複数の強化された物理チャネル伝送レベルに対応する、無線フレーム内の物理チャネル伝送機会の構成情報、物理チャネル伝送機会の無線フレーム構成情報、物理チャネルによって使用されるフォーマット、強化された物理チャネル伝送の無線フレームオフセット情報、強化された物理チャネル伝送のサブフレームオフセット情報、強化された物理チャネル伝送の物理チャネル伝送機会オフセット情報、ルートシーケンスインデックス情報、高速識別情報、ゼロ相関ゼロ構成情報、及び周波数オフセット情報の中の少なくとも１つのタイプの情報は、同一である。
【００２５】
第４の態様の第３の可能な実施様態を参照して、第４の可能な実施様態において、複数の強化された物理チャネル伝送レベルに対応する、強化された物理チャネル伝送の反復構成情報、強化された物理チャネル伝送のために使用される時間長の構成情報、及び強化された物理チャネル伝送サイクル情報の中の少なくとも１つのタイプの情報は、異なる。
【００２６】
第４の態様の第１の可能な実施様態から第４の態様の第４の可能な実施様態のいずれか１つを参照して、第５の可能な実施様態において、強化された物理チャネル伝送の間隔は、サイクル情報、無線フレーム構成情報、反復構成情報、及び無線フレーム内の物理チャネル伝送機会の構成情報の中の１つ又は複数のタイプの情報により決定される。
【００２７】
第４の態様の第２の可能な実施様態から第４の態様の第５の可能な実施様態のいずれか１つを参照して、第６の可能な実施様態において、プロセッサは、反復構成情報、無線フレーム構成情報、及び無線フレーム内の物理チャネル伝送機会の構成情報の中の１つ又は複数のタイプの情報により物理チャネルの強化された伝送の反復回数を決定するように、又は反復構成情報及び第２のパラメータ情報により物理チャネルの強化された伝送の反復回数を決定するように更に構成され、第２のパラメータは、プリアンブルフォーマット若しくは強化された物理チャネル伝送レベルにより決定されるパラメータである。
【００２８】
第４の態様の第６の可能な実施様態を参照して、第７の可能な実施様態において、プロセッサは、無線フレーム内の開始位置を開始ポイントとして使用することによって反復回数の連続する物理チャネル伝送機会のそれぞれにおいて物理チャネルを繰り返し伝送するように特に構成される。
【００２９】
第４の態様、又は第４の態様の第１から第７の可能な実施様態のいずれか１つを参照して、第８の可能な実施様態において、開始無線フレームのシステムフレーム番号ＳＦＮが、強化された伝送サイクル及び無線フレームオフセットにより決定される。
【００３０】
第４の態様の第７の可能な実施様態を参照して、第９の可能な実施様態において、ＳＦＮは、以下の式により獲得される値である。すなわち、
式は、ＳＦＮ  ｍｏｄ（強化された物理チャネル伝送の間隔）＝強化された物理チャネル伝送の無線フレームオフセット、又は（１０×ＳＦＮ＋ＳＦｓｔａｒｔ−ＳＦ＿ｏｆｆｓｅｔ）  ｍｏｄ  Ｔ＝０であり、ここで、ＳＦ＿ｏｆｆｓｅｔは、サブフレームオフセットであり、ＳＦｓｔａｒｔは、開始サブフレームのインデックスであり、Ｔは、強化された物理チャネル伝送の間隔であり、ｍｏｄは、モジュロ関数であり、又は
ＳＦＮ＝ＲＦ＿Ｄ×ｆｌｏｏｒ（（ｍ×Ｒｅｐ＿ｎｕｍ＋Ｏｃｃａｓｉｏｎ＿ｏｆｆｓｅｔ／ＯＮ）＋ＲＦ＿ｏｆｆｓｅｔであり、又は
ＳＦＮ＝ｍｏｄ（ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ，Ｋ）であり、又は
ＳＦＮ＝ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ、且つＳＦＮ  ｍｏｄ  Ｔ＝ＲＦ＿ｏｆｆｓｅｔであり、又は
ＳＦＮ＝ｍｏｄ（ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ，Ｋ）、且つＳＦＮ  ｍｏｄ  Ｔ＝ＲＦ＿ｏｆｆｓｅｔであり、又は
ＳＦＮ  ｍｏｄ  （Ｔ×ＲＦ＿Ｄ×Ｒｅｐ＿ｎｕｍ／ＯＮ）＝ＲＦ＿ｏｆｆｓｅｔであり、又は
ＳＦＮ  ｍｏｄ  （ＲＦ＿Ｄ×Ｒｅｐ＿ｎｕｍ／ＯＮ）＝ＲＦ＿ｏｆｆｓｅｔ、ここで、Ｒｅｐ＿ｎｕｍは、反復回数であり、ＲＦ＿Ｄは、物理チャネル伝送機会の無線フレーム構成情報によって決定され、Ｏｃｃａｓｉｏｎ＿ｏｆｆｓｅｔは、物理チャネル伝送機会オフセットであり、ＯＮは、物理チャネル伝送機会を有する無線フレームに含められた物理チャネル伝送機会の数量であり、ＲＦ＿ｏｆｆｓｅｔは、無線フレームオフセットであり、Ｋは、固定の定数であり、Ｔは、強化された物理チャネル伝送の間隔であり、ｍは、０以上の整数であり、ｆｌｏｏｒは、切り捨て関数であり、ｍｏｄは、モジュロ関数である。
【００３１】
第４の態様、又は第４の態様の第１から第８の可能な実施様態を参照して、第１０の可能な実施様態において、強化された物理チャネル伝送の開始サブフレームは、開始無線フレーム内の第（Ｏｃｃａｓｉｏｎ＿ｏｆｆｓｅｔ＋１）の物理チャネル伝送機会における第１のサブフレームであり、又は
開始サブフレームのインデックスＳＦｓｔａｒｔは、以下の式により獲得される値であり、すなわち、
（１０×ｎｆ＋ＳＦｓｔａｒｔ−ＳＦ＿ｏｆｆｓｅｔ）  ｍｏｄ  Ｔ＝０であり、又は
ｆｌｏｏｒ（ｎｓ／２）  ｍｏｄ  Ｔ＝ＳＦ＿ｏｆｆｓｅｔであり、又は
（ＳＦｓｔａｒｔ−ＳＦ＿ｏｆｆｓｅｔ）  ｍｏｄ  Ｔ＝０であり、又は
各強化された物理チャネル伝送レベルに対応する開始無線フレーム内の第（Ｘ＋１）の物理チャネル伝送機会における第１のサブフレームが、開始サブフレームとして使用され、ここで、
Ｘ＝ｍｏｄ（ｍ×Ｒｅｐ＿ｎｕｍ，ＯＮ）であり、Ｒｅｐ＿ｎｕｍは、反復回数であり、Ｏｃｃａｓｉｏｎ＿ｏｆｆｓｅｔは、物理チャネル伝送機会オフセットであり、ＯＮは、物理チャネル伝送機会を有する無線フレームに含められた物理チャネル伝送機会の数量であり、Ｔは、強化された伝送間隔であり、ｎｆは、無線フレームの番号であり、ＳＦ＿ｏｆｆｓｅｔは、サブフレームオフセットであり、ｎｓは、開始サブフレーム内のタイムスロットの番号であり、ｍは、０以上の整数であり、ｍｏｄは、モジュロ関数であり、ｆｌｏｏｒは、切り捨て関数である。
【００３２】
第４の態様、又は第４の態様の第１から第９の可能な実施様態のいずれか１つを参照して、第１１の可能な実施様態において、開始物理チャネル伝送機会は、開始無線フレーム内の第（Ｏｃｃａｓｉｏｎ＿ｏｆｆｓｅｔ＋１）の物理チャネル伝送機会であり、又は
開始物理チャネル伝送機会は、各強化された物理チャネル伝送レベルに対応する開始無線フレーム内の第（Ｘ＋１）の物理チャネル伝送機会であり、ここで、Ｘ＝ｍｏｄ（ｍ×Ｒｅｐ＿ｎｕｍ，ＯＮ）であり、且つ
開始物理チャネル伝送機会のインデックスＯｃｃａｓｉｏｎｓｔａｒｔは、以下の式により獲得される値であり、式は、以下を含む。すなわち、
（１０×ｎｆ＋Ｏｃｃａｓｉｏｎｓｔａｒｔ−Ｏｃｃａｓｉｏｎ＿ｏｆｆｓｅｔ）  ｍｏｄ  Ｔ＝０であり、又は
（Ｏｃｃａｓｉｏｎｓｔａｒｔ−Ｏｃｃａｓｉｏｎ＿ｏｆｆｓｅｔ）  ｍｏｄ  Ｔ＝０であり、ここで、Ｒｅｐ＿ｎｕｍは、反復回数であり、Ｏｃｃａｓｉｏｎ＿ｏｆｆｓｅｔは、物理チャネル伝送機会オフセットであり、ＯＮは、物理チャネル伝送機会を有する無線フレームに含められた物理チャネル伝送機会の数量であり、Ｔは、強化された物理チャネル伝送の間隔であり、ｎｆは、無線フレームの番号であり、ｍは、０以上の整数であり、ｍｏｄは、モジュロ関数であり、ｆｌｏｏｒは、切り捨て関数である。
【００３３】
第４の態様、又は第４の態様の第１から第１１の可能な実施様態のいずれか１つを参照して、第１２の可能な実施様態において、強化された物理チャネル伝送の無線フレームオフセットは、０であり、且つ／又は
サブフレームオフセットは、無線フレーム内の第１の物理チャネル伝送機会における第１のサブフレームのインデックスであり、且つ／又は
強化された物理チャネル伝送の物理チャネル伝送機会オフセットは、０である。
【００３４】
第４の態様、又は第４の態様の第１から第１２の可能な実施様態のいずれか１つを参照して、第１３の可能な実施様態において、プロセッサは、第１の閾値により、１つ又は複数の強化された物理チャネル伝送レベルのそれぞれに対応する第１の情報を決定するように更に構成され、第１の閾値は、ユーザ機器の許容可能な最大送信電力、初期ターゲットプリアンブル受信電力、プリアンブルフォーマットに対応するオフセット値、電力ランピングステップ、プリアンブル伝送試行回数、又はターゲット物理アップリンクチャネル受信電力のうちの１つ又は複数により決定される。
【００３５】
第５の態様によれば、本発明の実施形態が、送信機と、受信機と、メモリと、送信機、受信機、及びメモリに別々に接続されたプロセッサとを含む通信デバイスを提供し、
受信機は、プリアンブルシーケンスを受信するように構成され、
プロセッサは、プリアンブルシーケンスが第１のリソース上で受信された場合、プリアンブルが第１のモードで伝送されたと決定し、又はプリアンブルシーケンスが第２のリソース上で受信された場合、プリアンブルが第２のモードで、且つ／又は許容可能な最大送信電力で伝送されたと決定するように構成され、第１のモードは、通常の伝送モード又はカバレッジ強化されていない伝送モードであり、第２のモードは、強化された伝送モードである。
【００３６】
第６の態様によれば、本発明の実施形態が、送信機と、受信機と、メモリと、送信機、受信機、及びメモリに別々に接続されたプロセッサとを含むユーザ機器を提供し、
プロセッサは、ユーザ機器の第１のパラメータ値が第１の閾値以下であるかどうかを決定するように構成され、第１の閾値は、ユーザ機器の許容可能な最大送信電力、初期ターゲットプリアンブル受信電力、プリアンブルフォーマットに対応するオフセット値、電力ランピングステップ、プリアンブル伝送試行回数、又はターゲット物理アップリンクチャネル受信電力のうちの１つ又は複数により決定され、ユーザ機器の第１のパラメータ値が第１の閾値以下である場合、プロセッサは、第１のリソースを使用することによって、且つ／又は第１のモードで物理チャネルを伝送するように構成され、第１のモードは、通常の伝送モード又はカバレッジ強化されていない伝送モードであり、又はユーザ機器の第１のパラメータ値が第１の閾値より大きい場合、プロセッサは、第２のリソースを使用することによって、且つ／又は第２のモードで物理チャネルの強化された伝送を実行するように構成され、第２のモードは、強化された伝送モードである。
【００３７】
本発明は、強化された物理チャネル伝送方法、ユーザ機器、及び基地局を提供する。１つ又は複数の強化された物理チャネル伝送レベルのそれぞれに対応する第１の情報が、決定され、第１の情報は、物理チャネルの強化された伝送のものである反復構成情報及び強化された伝送構成情報を含み、各強化された物理チャネル伝送レベルに対応する強化された物理チャネル伝送機会の開始無線フレーム、及び強化された物理チャネル伝送機会の、開始無線フレーム内の開始位置が、第１の情報により決定され、開始位置は、開始サブフレームであり、又は開始位置は、開始物理チャネル伝送機会であり、開始無線フレーム内の開始位置を開始ポイントとして使用することによって物理チャネルの強化された伝送が、実行される。したがって、異なるレベルの端末装置に関する物理チャネルの強化された伝送が、実施される。
【００３８】
本発明の実施形態における、又は従来技術における技術的ソリューションをより明瞭に説明するのに、以下に、それらの実施形態又は従来技術を説明するために要求される添付の図面を簡単に概説する。明らかに、以下の説明における添付の図面は、本発明の幾つかの実施形態を示し、当業者は、それでも、独創的な取組みなしにこれらの添付の図面から他の図面を導き出すことが可能である。
【図面の簡単な説明】
【００３９】
【図１】本発明の実施形態による強化された物理チャネル伝送方法を示す流れ図である。
【図２】本発明の別の実施形態による強化された物理チャネル伝送方法を示す流れ図である。
【図３】本発明の更に別の実施形態による強化された物理チャネル伝送方法を示す流れ図である。
【図４】本発明の実施形態による通信デバイスを示す概略構造図である。
【図５】本発明の実施形態による基地局を示す概略構造図である。
【図６】本発明の実施形態によるユーザ機器を示す概略構造図である。
【発明を実施するための形態】
【００４０】
本発明の実施形態の目的、技術的ソリューション、及び利点をより明確にするのに、以下に、本発明の実施形態における技術的ソリューションを、本発明の実施形態における添付の図面を参照して、明瞭且つ完全に説明する。明らかに、説明される実施形態は、本発明の実施形態の幾つかであるが、すべてではない。独創的な取組みなしに本発明の実施形態に基づいて当業者によって得られる他のすべての実施形態は、本発明の保護範囲に入るものとする。
【００４１】
図１は、本発明の一実施形態による強化された物理チャネル伝送方法の流れ図である。図１に示されるとおり、この実施形態において提供される方法は、以下のステップを特に含む。すなわち、
【００４２】
ステップ１０１  １つ又は複数の強化された物理チャネル伝送レベルのそれぞれに対応する第１の情報を決定することであって、第１の情報は、物理チャネルの強化された伝送のものである反復構成情報及び強化された伝送構成情報を含むこと。
【００４３】
本発明のこの実施形態は、ユーザ機器（Ｕｓｅｒ  Ｅｑｕｉｐｍｅｎｔ，略して、ＵＥ）又は基地局によって実行され得ることに留意されたい。
【００４４】
この実施形態において、１つ又は複数の強化された物理チャネル伝送レベルのそれぞれに対応する第１の情報の少なくとも２つの以下の実施シナリオが、存在する。
【００４５】
第１の実施シナリオにおいて、複数の強化された物理チャネル伝送レベルのそれぞれは、異なる第１の情報に対応する。
【００４６】
第２の実施シナリオにおいて、複数の強化された物理チャネル伝送レベルに対応する第１の情報の中の少なくとも１つのタイプの情報は、同一である。
【００４７】
第２の実施シナリオに関して、例えば、合計でＮ１＋Ｎ２の強化された物理チャネル伝送レベルが存在し、Ｎ１の強化された物理チャネル伝送レベルは、強化された物理チャネル伝送構成１を使用することによって構成され、強化された物理チャネル伝送構成１は、物理チャネル構成情報の第１の部分、又は第１の物理チャネル構成インデックスに関連付けられ、Ｎ２の強化された物理チャネル伝送レベルは、強化された物理チャネル伝送構成２を使用することによって構成され、強化された物理チャネル伝送構成２は、物理チャネル構成情報の第２の部分、又は第２の物理チャネル構成インデックスに関連付けられる。
【００４８】
この実施形態において、物理チャネルは、物理ランダムアクセスチャネル、物理ダウンリンク制御チャネル、強化された物理ダウンリンク制御チャネル、物理制御フォーマットインジケータチャネル、物理ハイブリッド自動再送要求インジケータチャネル、ユニキャスト物理ダウンリンク共有チャネルＰＤＳＣＨ、ブロードキャストメッセージ若しくはマルチキャストメッセージを伝送する物理ダウンリンク共有チャネルＰＤＳＣＨ、物理アップリンク共有チャネルＰＵＳＣＨ、物理アップリンク制御チャネルＰＵＣＣＨ、同期チャネルＳＣＨ、又は物理ブロードキャストチャネルＰＢＣＨのうちの１つ又は複数である。ブロードキャストメッセージ若しくはマルチキャストメッセージは、ランダムアクセス応答メッセージ、ランダムアクセス応答回答Ｍｓｇ３メッセージ、競合解決メッセージ、システム情報、又はページングメッセージのうちの１つ又は複数である。
【００４９】
この実施形態において、反復構成情報は、反復回数情報、拡散率情報、伝送時間間隔バンドルサイズ情報、電力が増加される倍数についての情報、又は再送回数情報のうちの１つ又は複数であることが可能である。反復回数情報は、反復回数を決定し、拡散率情報は、拡散率を決定し、伝送時間間隔バンドルサイズ情報は、伝送時間間隔バンドルのサイズを決定し、電力が増加される倍数についての情報は、電力が増加される倍数を決定し、再送回数情報は、強化された物理チャネル伝送の再送回数を決定する。
【００５０】
この実施形態において、強化された伝送構成情報は、強化された伝送のために使用される時間長の構成情報、無線フレーム内の物理チャネル伝送機会の構成情報、物理チャネル伝送機会の無線フレーム構成情報、強化された伝送のサイクル情報、物理チャネルによって使用されるフォーマット、強化された伝送の無線フレームオフセット情報、強化された伝送のサブフレームオフセット情報、物理チャネル伝送機会オフセット情報、ルートシーケンスインデックス情報、高速識別情報、ゼロ相関ゼロ構成情報、及び周波数オフセット情報のうちの１つ又は複数のタイプの情報を含むことが可能である。
【００５１】
例えば、強化された伝送のために使用される時間長の構成情報は、１つの強化された物理チャネル伝送機会によって占有されるサブフレームの数量、又は持続時間、又は無線フレームの数量を指定する。
【００５２】
例えば、無線フレーム内の物理チャネル伝送機会の構成情報は、物理チャネル伝送機会を有する無線フレームに含められた物理チャネル伝送機会の数量を決定する。例えば、物理チャネル伝送機会を有する無線フレームに含められた物理チャネル伝送機会の数量は、ＯＮである。ＯＮは、Ｄｅｎｓｉｔｙ  ｐｅｒ  Ｎ×１０ｍｓによって決定されることが可能である。Ｎ＝１及びＤｅｎｓｉｔｙ  ｐｅｒ  １０ｍｓ＝６であり、各無線フレーム内に６つの物理チャネル伝送機会が存在すること、すなわち、ＯＮ＝６であることを示す。別の例として、Ｄｅｎｓｉｔｙ  ｐｅｒ  １０ｍｓ＝０．５であり、２つの無線フレーム毎に１つの物理チャネル伝送機会が存在すること、すなわち、物理チャネル伝送機会を有する無線フレーム内に１つの物理チャネル伝送機会が存在すること、すなわち、ＯＮ＝１であることを示す。また、ＯＮは、ｓｕｂｆｒａｍｅ  ｎｕｍｂｅｒによって決定されることも可能である。例えば、ＯＮの値は、ｓｕｂｆｒａｍｅ  ｎｕｍｂｅｒの値と等しい。
【００５３】
例えば、物理チャネル伝送機会の無線フレーム構成情報は、すべて又は複数の無線フレームが物理チャネル伝送機会を有することを決定する。例えば、偶数番の無線フレームが、物理チャネル伝送機会を有し、又は奇数番の無線フレームが、物理チャネル伝送機会を有し、或いはすべての無線フレームが、物理チャネル伝送機会を有する。例えば、物理チャネル伝送機会の無線フレーム構成情報は、ＲＦ＿Ｄ無線フレーム毎に物理チャネル伝送機会が存在することを決定する。ＲＦ＿Ｄは、Ｄｅｎｓｉｔｙ  ｐｅｒ  Ｎ×１０ｍｓによって決定されることが可能である。例えば、Ｎ＝１であり、Ｄｅｎｓｉｔｙ  ｐｅｒ  １０ｍｓ＝１であり、すべての無線フレームが物理チャネル伝送機会を有すること、すなわち、ＲＦ＿Ｄ＝１であることを示す。別の例として、Ｄｅｎｓｉｔｙ  ｐｅｒ  １０ｍｓ＝０．５であり、２つの無線フレーム毎に１つの物理チャネル伝送機会が存在すること、すなわち、ＲＦ＿Ｄ＝２であることを示す。別の例として、ｓｙｓｔｅｍ  ｒａｄｉｏ  ｆｒａｍｅが「ａｎｙ」である場合、ＲＦ＿Ｄ＝１であり、ｓｙｓｔｅｍ  ｒａｄｉｏ  ｆｒａｍｅが「ｅｖｅｎ」又は「ｏｄｄ」である場合、ＲＦ＿Ｄ＝２である。
【００５４】
例えば、強化された伝送のサイクル情報は、強化された物理チャネル伝送の間隔を決定するのに使用される。サイクル情報によって示されるパラメータ値は、無線フレームを単位とすること、又は物理チャネル伝送機会の数量を単位とすること、又は強化された物理チャネル伝送機会の数量を単位とすること、又は反復回数を単位とすること、又はサブフレームを単位とすることが可能である。
【００５５】
更に、強化された物理チャネル伝送の間隔は、サイクル情報、並びに物理チャネル伝送機会の無線フレーム構成情報、反復回数情報、又は無線フレーム内の物理チャネル伝送機会の構成情報のうちの１つ又は複数により更に決定されることが可能である。
【００５６】
例えば、強化された伝送のサイクル情報は、ｎであり、強化された物理チャネル伝送の間隔は、Ｔである。強化された物理チャネル伝送サイクル情報によって示されるパラメータ値が、（ａ）無線フレームを単位とする場合、Ｔ＝ｎの無線フレーム、又はＴ＝（ｎ×ＲＦ＿Ｄ）の無線フレームであり、（ｂ）物理チャネル伝送機会の数量を単位とする場合、Ｔ＝（ｎ／ＯＮ）又はＴ＝（ｎ×ＲＦ＿Ｄ／ＯＮ）の無線フレームであり、（ｃ）強化された物理チャネル伝送機会の数量、又は反復回数を単位とする場合、Ｔ＝（ｎ×Ｒｅｐ＿ｎｕｍ／ＯＮ）又はＴ＝（ｎ×ＲＦ＿Ｄ×Ｒｅｐ＿ｎｕｍ／ＯＮ）の無線フレームである。ｎは、１０２４／Ｔ＝正の整数であることを満たす値であり得ることに留意されたい。
【００５７】
例えば、物理チャネルによって使用されるフォーマットは、物理チャネル伝送において使用されるフォーマットを指定する。物理チャネルが物理ランダムアクセスチャネルである場合、物理チャネルによって使用されるフォーマットについての情報は、物理ランダムアクセスチャネルによって使用されるプリアンブルフォーマットを指定し、物理チャネルが物理ダウンリンク制御チャネル又は強化された物理ダウンリンク制御チャネルである場合、物理チャネルによって使用されるフォーマットについての情報は、物理ダウンリンク制御チャネル又は強化された物理ダウンリンク制御チャネルによって使用されるダウンリンク制御情報フォーマットを指定し、物理チャネルが物理アップリンク制御チャネルである場合、物理チャネルによって使用されるフォーマットについての情報は、物理アップリンク制御チャネルによって使用されるフォーマットを指定する。物理チャネル伝送において使用されるフォーマットにより実行される単一の物理チャネル伝送によって占有されるサブフレームの数量は、ｌｅｎによって表される。
【００５８】
更に、第２の実施シナリオは、以下を特に含む少なくとも２つの事例を含む。すなわち、
【００５９】
第１の実施シナリオにおいて、複数の強化された物理チャネル伝送レベルは、同一の第１の情報に対応する、すなわち、複数の物理チャネル強化伝送レベルに対応する反復構成情報と許可された伝送構成情報はともに、同一である。
【００６０】
第２の実施シナリオにおいて、複数の強化された物理チャネル伝送レベルに対応する第１の情報の一部分は、同一である、すなわち、反復構成情報又は強化された伝送構成情報の中の、又は複数の物理チャネル強化レベルに対応する反復構成情報と強化された伝送構成情報の両方の中の少なくとも１つのタイプの情報は、同一である。
【００６１】
第２の実施シナリオに関して、例えば、複数の強化された物理チャネル伝送レベルに対応する、無線フレーム内の物理チャネル伝送機会の構成情報、物理チャネル伝送機会の無線フレーム構成情報、物理チャネルによって使用されるフォーマット、強化された物理チャネル伝送の無線フレームオフセット情報、強化された物理チャネル伝送のサブフレームオフセット情報、強化された物理チャネル伝送の物理チャネル伝送機会オフセット情報、ルートシーケンスインデックス情報、高速識別情報、ゼロ相関ゼロ構成情報、及び周波数オフセット情報の中の少なくとも１つのタイプの情報が、同一である。
【００６２】
更に、前述の実施形態に基づいて、複数の強化された物理チャネル伝送レベルに対応する、強化された物理チャネル伝送の反復構成情報、強化された物理チャネル伝送のために使用される時間長の構成情報、及び強化された物理チャネル伝送サイクル情報の中の少なくとも１つのタイプの情報が、異なる。
【００６３】
ステップ１０２  第１の情報により、各強化された物理チャネル伝送レベルに対応する強化された物理チャネル伝送機会の開始無線フレーム、及び強化された物理チャネル伝送機会の、開始無線フレーム内の開始位置を決定することであって、開始位置は、開始サブフレームである、又は開始位置は、開始物理チャネル伝送機会であること。
【００６４】
特に、第１の情報により、各強化された物理チャネル伝送レベルに対応する強化された物理チャネル伝送機会の開始無線フレームを決定する実施様態は、
開始無線フレームのシステムフレーム番号ＳＦＮが、強化された伝送サイクル及び無線フレームオフセットにより決定されることである。
【００６５】
例えば、ＳＦＮは、以下の式により獲得される値であり、式は、以下のとおりであることが可能である。すなわち、
ＳＦＮ  ｍｏｄ（強化された物理チャネル伝送の間隔）＝強化された物理チャネル伝送の無線フレームオフセット、又は（１０×ＳＦＮ＋ＳＦｓｔａｒｔ−ＳＦ＿ｏｆｆｓｅｔ）  ｍｏｄ  Ｔ＝０であり、ここで、ＳＦ＿ｏｆｆｓｅｔは、サブフレームオフセットであり、ＳＦｓｔａｒｔは、開始サブフレームのインデックスであり、Ｔは、強化された物理チャネル伝送の間隔であり、ｍｏｄは、モジュロ関数であり、又は
ＳＦＮ＝ＲＦ＿Ｄ×ｆｌｏｏｒ（（ｍ×Ｒｅｐ＿ｎｕｍ＋Ｏｃｃａｓｉｏｎ＿ｏｆｆｓｅｔ／ＯＮ）＋ＲＦ＿ｏｆｆｓｅｔであり、又は
ＳＦＮ＝ｍｏｄ（ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ，Ｋ）であり、又は
ＳＦＮ＝ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ、且つＳＦＮ  ｍｏｄ  Ｔ＝ＲＦ＿ｏｆｆｓｅｔであり、又は
ＳＦＮ＝ｍｏｄ（ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ，Ｋ）、且つＳＦＮ  ｍｏｄ  Ｔ＝ＲＦ＿ｏｆｆｓｅｔであり、又は
ＳＦＮ  ｍｏｄ  （Ｔ×ＲＦ＿Ｄ×Ｒｅｐ＿ｎｕｍ／ＯＮ）＝ＲＦ＿ｏｆｆｓｅｔであり、又は
ＳＦＮ  ｍｏｄ  （ＲＦ＿Ｄ×Ｒｅｐ＿ｎｕｍ／ＯＮ）＝ＲＦ＿ｏｆｆｓｅｔ、ここで、Ｒｅｐ＿ｎｕｍは、反復回数であり、ＲＦ＿Ｄは、物理チャネル伝送機会の無線フレーム構成情報によって決定され、Ｏｃｃａｓｉｏｎ＿ｏｆｆｓｅｔは、物理チャネル伝送機会オフセットであり、ＯＮは、物理チャネル伝送機会を有する無線フレームに含められた物理チャネル伝送機会の数量であり、ＲＦ＿ｏｆｆｓｅｔは、無線フレームオフセットであり、Ｋは、固定の定数であり、Ｔは、強化された物理チャネル伝送の間隔であり、ｍは、０以上の整数であり、ｆｌｏｏｒは、切り捨て関数であり、ｍｏｄは、モジュロ関数である。
【００６６】
特に、各強化された物理チャネル伝送レベルに対応する強化された物理チャネル伝送機会の、開始無線フレーム内の開始位置を、第１の情報により決定する少なくとも２つの実施様態が存在する。
【００６７】
第１の実施様態において、各強化された物理チャネル伝送レベルに対応する強化された物理チャネル伝送機会の、開始無線フレーム内の開始サブフレームが、第１の情報により決定される。
【００６８】
第２の実施様態において、各強化された物理チャネル伝送レベルに対応する強化された物理チャネル伝送機会の、開始無線フレーム内の開始物理チャネル伝送機会が、第１の情報により決定される。
【００６９】
第１の実施様態、すなわち、各強化された物理チャネル伝送レベルに対応する強化された物理チャネル伝送機会の、開始無線フレーム内の開始サブフレームが、第１の情報により決定されることは、以下のことを特に含むことが可能である。すなわち、
強化された物理チャネル伝送の開始サブフレームは、開始無線フレーム内の第（Ｏｃｃａｓｉｏｎ＿ｏｆｆｓｅｔ＋１）の物理チャネル伝送機会における第１のサブフレームであり、又は
開始サブフレームのインデックスＳＦｓｔａｒｔは、以下の式により獲得される値であり、すなわち、
（１０×ｎｆ＋ＳＦｓｔａｒｔ−ＳＦ＿ｏｆｆｓｅｔ）  ｍｏｄ  Ｔ＝０であり、又は
ｆｌｏｏｒ（ｎｓ／２）  ｍｏｄ  Ｔ＝ＳＦ＿ｏｆｆｓｅｔであり、又は
（ＳＦｓｔａｒｔ−ＳＦ＿ｏｆｆｓｅｔ）  ｍｏｄ  Ｔ＝０であり、又は
各強化された物理チャネル伝送レベルに対応する開始無線フレーム内の第（Ｘ＋１）の物理チャネル伝送機会における第１のサブフレームが、開始サブフレームとして使用され、ここで、
Ｘ＝ｍｏｄ（ｍ×Ｒｅｐ＿ｎｕｍ，ＯＮ）であり、Ｒｅｐ＿ｎｕｍは、反復回数であり、Ｏｃｃａｓｉｏｎ＿ｏｆｆｓｅｔは、物理チャネル伝送機会オフセットであり、ＯＮは、物理チャネル伝送機会を有する無線フレームに含められた物理チャネル伝送機会の数量であり、Ｔは、強化された伝送間隔であり、ｎｆは、無線フレームの番号であり、ＳＦ＿ｏｆｆｓｅｔは、サブフレームオフセットであり、ｎｓは、開始サブフレーム内のタイムスロットの番号であり、ｍは、０以上の整数であり、ｍｏｄは、モジュロ関数であり、ｆｌｏｏｒは、切り捨て関数である。
【００７０】
第１の実施様態、すなわち、各強化された物理チャネル伝送レベルに対応する強化された物理チャネル伝送機会の、開始無線フレーム内の開始物理チャネル伝送機会が、第１の情報により決定されることは、以下のことを特に含むことが可能である。すなわち、
開始物理チャネル伝送機会は、開始無線フレーム内の第（Ｏｃｃａｓｉｏｎ＿ｏｆｆｓｅｔ＋１）の物理チャネル伝送機会であり、又は
開始物理チャネル伝送機会は、各強化された物理チャネル伝送レベルに対応する開始無線フレーム内の第（Ｘ＋１）の物理チャネル伝送機会であり、ここで、Ｘ＝ｍｏｄ（ｍ×Ｒｅｐ＿ｎｕｍ，ＯＮ）であり、且つ
開始物理チャネル伝送機会のインデックスＯｃｃａｓｉｏｎｓｔａｒｔは、以下の式により獲得される値であり、式は、以下を含む。すなわち、
（１０×ｎｆ＋Ｏｃｃａｓｉｏｎｓｔａｒｔ−Ｏｃｃａｓｉｏｎ＿ｏｆｆｓｅｔ）  ｍｏｄ  Ｔ＝０であり、又は
（Ｏｃｃａｓｉｏｎｓｔａｒｔ−Ｏｃｃａｓｉｏｎ＿ｏｆｆｓｅｔ）  ｍｏｄ  Ｔ＝０であり、ここで、Ｒｅｐ＿ｎｕｍは、反復回数であり、Ｏｃｃａｓｉｏｎ＿ｏｆｆｓｅｔは、物理チャネル伝送機会オフセットであり、ＯＮは、物理チャネル伝送機会を有する無線フレームに含められた物理チャネル伝送機会の数量であり、Ｔは、強化された物理チャネル伝送の間隔であり、ｎｆは、無線フレームの番号であり、ｍは、０以上の整数であり、ｍｏｄは、モジュロ関数であり、ｆｌｏｏｒは、切り捨て関数である。
【００７１】
ステップ１０３  開始無線フレーム内の開始位置を開始ポイントとして使用することによって物理チャネルの強化された伝送を実行すること。
【００７２】
特に、開始無線フレーム内の開始位置を開始ポイントとして使用することによって物理チャネルの強化された伝送を実行する少なくとも２つの以下の実施様態が存在する。
【００７３】
第１の実施様態において、開始無線フレーム内の開始サブフレームを開始ポイントとして使用することによって物理チャネルの強化された伝送が実行される。
【００７４】
第２の実施様態において、開始無線フレーム内の開始物理チャネル伝送機会を開始ポイントとして使用することによって物理チャネルの強化された伝送が実行される。
【００７５】
この実施形態において、１つ又は複数の強化された物理チャネル伝送レベルのそれぞれに対応する第１の情報が、決定され、第１の情報は、物理チャネルの強化された伝送のものである反復構成情報及び強化された伝送構成情報を含み、各強化された物理チャネル伝送レベルに対応する強化された物理チャネル伝送機会の開始無線フレーム、及び強化された物理チャネル伝送機会の、開始無線フレーム内の開始位置が、第１の情報により決定され、開始位置は、開始サブフレームであり、又は開始位置は、開始物理チャネル伝送機会であり、開始無線フレーム内の開始位置を開始ポイントとして使用することによって物理チャネルの強化された伝送が、実行される。したがって、異なるレベルの端末装置に関する物理チャネルの強化された伝送が、実施される。
【００７６】
第１の情報に含められたすべての情報は、シグナリングすることによって構成され、又は第１の情報に含められた情報の一部分は、シグナリングすることによって構成され、情報のその部分は、あらかじめ指定されることが可能であることに留意されたい。例えば、シグナリング構成は、無線リソース制御ＲＲＣ共通シグナリング構成及び／又はＲＲＣ専用シグナリング構成であることが可能である。例えば、ＲＲＣ共通シグナリング構成とＲＲＣ専用シグナリング構成がともに同一の情報である場合、ＲＲＣ専用シグナリング構成が高い優先度を有する。例えば、ＲＲＣ共通シグナリングが、強化された物理チャネル伝送の反復回数情報を構成し、ＲＲＣ専用シグナリングもまた、強化された物理チャネル伝送の反復回数情報を構成する。この事例において、強化された物理チャネル伝送の間隔は、強化された物理チャネル伝送サイクル情報、及びＲＲＣ専用シグナリングによって構成された反復回数情報に基づいて決定される。ＲＲＣ専用シグナリングが、反復回数情報を構成しない場合、強化された物理チャネル伝送の間隔は、強化された物理チャネル伝送サイクル情報、及びＲＲＣ共通シグナリングによって構成された反復回数情報に基づいて決定される。
【００７７】
前述の実施形態に基づいて、ステップ１０２は、
反復構成情報、無線フレーム構成情報、及び無線フレーム内の物理チャネル伝送機会の構成情報の中の１つ又は複数のタイプの情報により物理チャネルの強化された伝送の反復回数を決定すること、又は反復構成情報及び第２のパラメータ情報により物理チャネルの強化された伝送の反復回数を決定することであって、第２のパラメータは、プリアンブルフォーマット若しくは強化された物理チャネル伝送レベルにより決定されるパラメータであることを更に含むことが可能である。
【００７８】
例えば、反復回数情報は、整数値を示すことが可能であり、その整数値と、無線フレームに含められた物理チャネル伝送機会の数量の積が、反復回数として使用される、すなわち、反復回数は、物理チャネル伝送をサポートする無線フレームに含められた物理チャネル伝送機会の数量の整数倍であることが可能である。例えば、Ｒｅｐ＿ｎｕｍ＝ｋ×ＯＮであり、ここで、ｋは、正の整数である。
【００７９】
更に、反復回数は、反復回数情報及び第２のパラメータ情報により決定されることが可能である。例えば、反復回数情報によって示される値と、第２のパラメータによって決定される値の積が、反復回数として使用され、ここで、第２のパラメータは、プリアンブルフォーマット又は強化された物理チャネル伝送レベルにより決定される。例えば、第２のパラメータとプリアンブルフォーマットの間に所定の対応関係が存在する。特に、プリアンブルフォーマットが０又は１である場合、第２のパラメータは、２と等しい。プリアンブルフォーマットが２又は３である場合、第２のパラメータは、１と等しい。第２のパラメータとプリアンブルフォーマットの間の対応関係は、事前定義された表を使用することによって反映させられることも可能である。
【００８０】
更に、物理チャネルは、開始無線フレーム内の開始位置を開始ポイントとして使用することによって反復回数の連続する物理チャネル伝送機会のそれぞれにおいて繰り返し伝送され、ここで、Ｒｅｐ＿ｎｕｍが、反復回数である。例えば、無線フレーム内の開始位置が、２、５、及び８という番号が付けられたサブフレームであると決定された場合、反復回数は３であると決定され、物理チャネルは、３つの連続する物理チャネル伝送機会のそれぞれにおいて、すなわち、２、５、及び８という番号が付けられたサブフレーム内で繰り返し伝送される。
【００８１】
更に、前述の実施形態に基づいて、強化された物理チャネル伝送の無線フレームオフセットは、０であり、且つ／又は
サブフレームオフセットは、無線フレーム内の第１の物理チャネル伝送機会における第１のサブフレームのインデックスであり、且つ／又は
強化された物理チャネル伝送の物理チャネル伝送機会オフセットは、０である。
【００８２】
更に、前述の実施形態に基づいて、ステップ１０１は、
第１の閾値により、１つ又は複数の強化された物理チャネル伝送レベルのそれぞれに対応する第１の情報を決定することであって、第１の閾値は、ユーザ機器の許容可能な最大送信電力、初期ターゲットプリアンブル受信電力、プリアンブルフォーマットに対応するオフセット値、電力ランピングステップ、プリアンブル伝送試行回数、又はターゲット物理アップリンクチャネル受信電力のうちの１つ又は複数により決定されることを更に含むことが可能である。
【００８３】
図２は、本発明の別の実施形態による強化された物理チャネル伝送方法を示す流れ図である。図２に示されるとおり、この実施形態の適用可能なシナリオは、２つの強化された物理チャネル伝送機会の開始無線フレームの間の間隔が、無線フレームの整数倍であることである。３つの強化された物理チャネル伝送レベルが存在し、その３つの強化された物理チャネル伝送レベルは、異なり、その３つの強化された物理チャネル伝送レベルの反復回数は、それぞれ、１、２、及び４である。物理チャネルの無線フレームオフセットは、ＲＦ＿ｏｆｆｓｅｔ＝０であり、物理チャネルの伝送機会オフセットは、Ｏｃｃａｓｉｏｎ＿ｏｆｆｓｅｔ＝０であり、その３つの強化された物理チャネル伝送レベルにそれぞれ対応する強化された物理チャネル伝送サイクル情報によって示される整数は、ｎ１、ｎ２、及びｎ３である。この実施形態において提供される方法は、以下のステップを特に含むことが可能である。
【００８４】
ステップ２０１  その３つの強化された物理チャネル伝送レベルにそれぞれ対応する開始無線フレームを決定すること。
【００８５】
この実施形態において、その３つの強化された物理チャネル伝送レベルにそれぞれ対応する開始無線フレームを決定する少なくとも２つの以下の適用可能なシナリオが存在し、それらのシナリオは、以下のことを特に含む。すなわち、
【００８６】
第１の適用可能なシナリオにおいて、強化された物理チャネル伝送サイクル情報は、物理チャネルの強化された伝送の間隔を直接に示し、すなわち、ｎ１、ｎ２、及びｎ３が、それぞれ、その３つの強化された物理チャネル伝送レベルに対応する強化された伝送間隔である。
【００８７】
特に、第１の強化された物理チャネル伝送レベルに対応する開始無線フレームのＳＦＮは、ＳＦＮ  ｍｏｄ  ｎ１＝０を満たす。
【００８８】
第２の強化された物理チャネル伝送レベルに対応する開始無線フレームのＳＦＮは、ＳＦＮ  ｍｏｄ  ｎ２＝０を満たす。
【００８９】
第３の強化された物理チャネル伝送レベルに対応する開始無線フレームのＳＦＮは、ＳＦＮ  ｍｏｄ  ｎ３＝０を満たす。
【００９０】
第２の適用可能なシナリオにおいて、強化された物理チャネル伝送サイクル情報は、物理チャネルの強化された伝送の間隔を直接には示さない。
【００９１】
特に、第１の強化された物理チャネル伝送レベルに対応する開始無線フレームのＳＦＮは、以下を満たす。すなわち、ＳＦＮ  ｍｏｄ  ｎ１×ＲＦ＿Ｄ＝０であり、又はＳＦＮ  ｍｏｄ  （ｎ１×Ｒｅｐ＿ｎｕｍ／ＯＮ）＝０であり、又はＳＦＮ  ｍｏｄ  （ｎ１×ＲＦ＿Ｄ×Ｒｅｐ＿ｎｕｍ／ＯＮ）＝０であり、又はＳＦＮ  ｍｏｄ  ｎ１×ＲＦ＿Ｄ×ｋ＝０であり、又はＳＦＮ  ｍｏｄ  ｎ１×ｋ＝０である。
【００９２】
第２の強化された物理チャネル伝送レベルに対応する開始無線フレームのＳＦＮは、以下を満たす。すなわち、ＳＦＮ  ｍｏｄ  ｎ２×ＲＦ＿Ｄ＝０であり、又はＳＦＮ  ｍｏｄ  （ｎ２×Ｒｅｐ＿ｎｕｍ／ＯＮ）＝０であり、又はＳＦＮ  ｍｏｄ  （ｎ２×ＲＦ＿Ｄ×Ｒｅｐ＿ｎｕｍ／ＯＮ）＝０であり、又はＳＦＮ  ｍｏｄ  ｎ２×ＲＦ＿Ｄ×ｋ＝０であり、又はＳＦＮ  ｍｏｄ  ｎ２×ｋ＝０である。
【００９３】
第３の強化された物理チャネル伝送レベルに対応する開始無線フレームのＳＦＮは、以下を満たす。すなわち、ＳＦＮ  ｍｏｄ  ｎ３×ＲＦ＿Ｄ＝０であり、又はＳＦＮ  ｍｏｄ  （ｎ３×Ｒｅｐ＿ｎｕｍ／ＯＮ）＝０であり、又はＳＦＮ  ｍｏｄ  （ｎ３×ＲＦ＿Ｄ×Ｒｅｐ＿ｎｕｍ／ＯＮ）＝０であり、又はＳＦＮ  ｍｏｄ  ｎ３×ＲＦ＿Ｄ×ｋ＝０であり、又はＳＦＮ  ｍｏｄ  ｎ３×ｋ＝０である。
【００９４】
ステップ２０２  その３つの強化された物理チャネル伝送レベルにそれぞれ対応する開始サブフレームを決定すること。
【００９５】
特に、各強化された物理チャネル伝送レベルに対応する決定された開始無線フレーム内の第１の物理チャネル伝送機会における第１のサブフレームは、開始サブフレームとして使用される。
【００９６】
ステップ２０３  開始無線フレーム内の開始位置を開始ポイントとして使用することによって物理チャネルの強化された伝送を実行すること。
【００９７】
特に、強化された物理チャネル伝送は、開始無線フレーム内の開始サブフレームを開始ポイントとして使用することによって実行され、ここで、開始無線フレーム内の開始サブフレームは、ステップ２０１及び２０２により決定される。例えば、強化された物理チャネル伝送は、Ｒｅｐ＿ｎｕｍの連続する物理チャネル伝送機会を使用し、物理チャネルは、各物理チャネル伝送機会において繰り返し伝送される。
【００９８】
各強化された物理チャネル伝送レベルに対応する強化された物理チャネル伝送機会の開始無線フレーム、及び強化された物理チャネル伝送機会の、開始無線フレーム内の開始位置を決定することは、強化された伝送構成情報の中のルートシーケンスインデックス情報により、各強化された物理チャネル伝送レベルに対応する強化された物理チャネル伝送機会の開始無線フレーム、及び開始無線フレーム内の強化された物理チャネル伝送機会の開始位置を決定することを更に含み得ることに留意されたい。
【００９９】
例えば、物理チャネルは、物理ランダムアクセスチャネル（Ｐｈｙｓｉｃａｌ  Ｒａｎｄｏｍ  Ａｃｃｅｓｓ  Ｃｈａｎｎｅｌ，略してＰＲＡＣＨ）であり、強化された伝送構成情報は、第１の情報、すなわち、無線フレーム内のＰＲＡＣＨ伝送機会の構成情報、ＰＲＡＣＨ伝送機会の無線フレーム構成情報、及びＰＲＡＣＨによって使用されるフォーマット（すなわち、プリアンブルフォーマット）を決定するものと想定される。
【０１００】
表１は、ＰＲＡＣＨ構成インデックス、プリアンブルフォーマット、システムフレーム番号、及びサブフレーム番号の間のロングタームエボリューション（Ｌｏｎｇ  Ｔｅｒｍ  Ｅｖｏｌｕｔｉｏｎ，略してＬＴＥ）標準における対応関係を示す。
【０１０１】
特に、ＰＲＡＣＨによって使用されるフォーマット（ｐｒｅａｍｂｌｅ  ｆｏｒｍａｔ）、ＰＲＡＣＨ伝送機会の無線フレーム構成情報（ｓｙｓｔｅｍ  ｆｒａｍｅ  ｎｕｍｂｅｒによって決定される）、及び無線フレーム内のＰＲＡＣＨ伝送機会の構成情報（ｓｕｂｆｒａｍｅ  ｎｕｍｂｅｒによって決定される）は、ＰＲＡＣＨ構成インデックスにより決定されることが可能である。また、ＳＦ＿ｏｆｆｓｅｔが、サブフレーム番号によって決定されることも可能である。例えば、ＳＦ＿ｏｆｆｓｅｔが、サブフレーム番号の第１の値である。ＴＤＤの場合、無線フレームＰ内のＰＲＡＣＨ伝送機会の構成情報、又はＳＦ＿ｏｆｆｓｅｔ、或いはその両方が、
（外１）
0006492094.tif 000002
によって決定される。
【０１０２】
【表１】
0006492094.tif 000003
【０１０３】
例えば、ＰＲＡＣＨ構成インデックスが４２である場合、プリアンブルフォーマットは、フォーマット２であり（すなわち、各ＰＲＡＣＨ伝送機会が、２つのサブフレームを占有する）、システムフレーム番号は、「任意」であり、すなわち、すべての無線フレームが、ＰＲＡＣＨ伝送機会を有し、サブフレーム番号は、２、５、及び８であり、すなわち、ＰＲＡＣＨ伝送機会を有する無線フレーム内に３つのＰＲＡＣＨ伝送機会が存在する（第１のＰＲＡＣＨ伝送機会が、サブフレーム２及びサブフレーム３を占有し、第２のＰＲＡＣＨ伝送機会が、サブフレーム５及びサブフレーム６を占有し、第３のＰＲＡＣＨ伝送機会が、サブフレーム８及びサブフレーム９を占有する）。したがって、ｌｅｎ＝２、ＲＦ＿Ｄ＝１、及びＯＮ＝３である。
【０１０４】
１つのＰＲＡＣＨ構成インデックスは、２つの強化されたＰＲＡＣＨ伝送レベルに対応し、２つの強化されたＰＲＡＣＨ伝送レベルに対応する反復回数構成情報によって構成される反復回数は、それぞれ、３及び６であるものと想定される。したがって、第１の強化されたＰＲＡＣＨ伝送レベルに関して、１つの強化されたＰＲＡＣＨ伝送機会は、１つの無線フレーム内の３つのＰＲＡＣＨ伝送機会を使用する。第２の強化されたＰＲＡＣＨ伝送レベルに関して、１つの強化されたＰＲＡＣＨ伝送機会は、２つの無線フレーム内の６つのＰＲＡＣＨ伝送機会を使用する。更に、ＲＦ＿ｏｆｆｓｅｔ＝０であり、Ｏｃｃａｓｉｏｎ＿ｏｆｆｓｅｔ＝０であり、強化された物理チャネル伝送サイクル情報によって示される強化された物理チャネル伝送の間隔は、それぞれ、２つの無線フレーム、及び４つの無線フレームであることが指定される。
【０１０５】
第１の強化されたＰＲＡＣＨ伝送レベルに対応する開始無線フレームのＳＦＮは、ＳＦＮ  ｍｏｄ  ２＝０を満たす。すなわち、第１の強化されたＰＲＡＣＨ伝送レベルに対応する開始無線フレームは、０，２，４，６，８．．．である。
【０１０６】
第２の強化されたＰＲＡＣＨ伝送レベルに対応する開始無線フレームのＳＦＮは、ＳＦＮ  ｍｏｄ  ４＝０を満たす。すなわち、第２の強化されたＰＲＡＣＨ伝送レベルに対応する開始無線フレームは、０，４，８，１２，１６．．．である。
【０１０７】
Ｏｃｃａｓｉｏｎ＿ｏｆｆｓｅｔ＝０であるため、各強化されたＰＲＡＣＨ伝送レベルに対応する開始サブフレームは、開始無線フレーム内の第１のＰＲＡＣＨ伝送機会における第１のサブフレームである。この例において、サブフレーム２が、開始サブフレームとして使用される。
【０１０８】
第１の強化されたＰＲＡＣＨ伝送レベルに対応する強化されたＰＲＡＣＨ伝送は、
ＳＦＮ  ｍｏｄ  ２を満たす無線フレームを開始ポイントとして使用し、３つの連続するＰＲＡＣＨ伝送機会を占有する、すなわち、（サブフレーム２及び３）、（サブフレーム５及び６）、及び（サブフレーム８及び９）を占有する。
【０１０９】
第２の強化されたＰＲＡＣＨ伝送レベルに対応する強化されたＰＲＡＣＨ伝送は、
ＳＦＮ  ｍｏｄ  ４＝０を満たす無線フレームを開始ポイントとして使用し、６つの連続するＰＲＡＣＨ伝送機会を占有する、すなわち、無線フレーム４Ｌ内の（サブフレーム２及び３）、（サブフレーム５及び６）、及び（サブフレーム８及び９）、並びに無線フレーム４Ｌ＋１内の（サブフレーム２及び３）、（サブフレーム５及び６）、及び（サブフレーム８及び９）を占有する。ここで、Ｌは、０以上の整数であり、（）内は、１つのＰＲＡＣＨ伝送機会に含められたサブフレームを示す。
【０１１０】
図３は、本発明の更に別の実施形態による強化された物理チャネル伝送方法の流れ図である。図３に示されるとおり、この実施形態の適用可能なシナリオは、２つの強化された物理チャネル伝送機会の開始無線フレームの間の間隔が、無線フレームの整数倍には限定されないことである。
【０１１１】
ステップ３０１  各強化された物理チャネル伝送レベルに対応する開始無線フレームを決定すること。
【０１１２】
特に、強化された物理チャネル伝送レベルｉに対応する強化された物理チャネル伝送機会の開始無線フレームのシステムフレーム番号ＳＦＮは、以下の式によって決定されるＳＦＮと等しい。すなわち、
ＳＦＮ＝ＲＦ＿Ｄ×ｆｌｏｏｒ（（ｍ×Ｒｅｐ＿ｎｕｍ＋Ｏｃｃａｓｉｏｎ＿ｏｆｆｓｅｔ／ＯＮ）＋ＲＦ＿ｏｆｆｓｅｔであり、又は
ＳＦＮ＝ｍｏｄ（ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ，Ｋ）であり、又は
ＳＦＮ＝ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ、且つＳＦＮ  ｍｏｄ  Ｔ＝ＲＦ＿ｏｆｆｓｅｔであり、又は
ＳＦＮ＝ｍｏｄ（ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ，Ｋ）、且つＳＦＮ  ｍｏｄ  Ｔ＝ＲＦ＿ｏｆｆｓｅｔであり、又は
ＳＦＮ  ｍｏｄ  （Ｔ×ＲＦ＿Ｄ×Ｒｅｐ＿ｎｕｍ／ＯＮ）＝ＲＦ＿ｏｆｆｓｅｔであり、又は
ＳＦＮ  ｍｏｄ  （ＲＦ＿Ｄ×Ｒｅｐ＿ｎｕｍ／ＯＮ）＝ＲＦ＿ｏｆｆｓｅｔ、ここで、ｆｌｏｏｒは、切り捨て関数であり、ｍｏｄは、モジュロ関数であり、ｍは、０以上の整数であり、Ｋは、固定の定数、例えば、Ｋ＝１０２４である。
【０１１３】
パラメータ、ＲＦ＿Ｄ、Ｏｃｃａｓｉｏｎ＿ｏｆｆｓｅｔ、ＲＦ＿ｏｆｆｓｅｔ、Ｒｅｐ＿ｎｕｍ、ＯＮ、及びＴは、前述したのと同一である。オプションとして、物理チャネルによって使用されるフォーマットについての情報を考慮して、Ｒｅｐ＿ｎｕｍ×ｌｅｎが、前述の式におけるＲｅｐ＿ｎｕｍに取って代わるように更に使用されてもよい。同様に、ＯＮ×ｌｅｎが、ＯＮに取って代わるように使用されてもよい。通常、Ｒｅｐ＿ｎｕｍは、ＯＮの整数倍である、すなわち、Ｒｅｐ＿ｎｕｍ＝ｄ×ＯＮであり、ここで、ｄは、あらかじめ指定された整数、又はシグナリングすることによって通知される整数である。例えば、ｄは、反復構成情報によって決定される。
【０１１４】
ステップ３０２  各強化された物理チャネル伝送レベルに対応する強化された物理チャネル伝送機会の、開始無線フレーム内の開始位置を決定すること。
【０１１５】
この実施形態におけるステップ３０２の少なくとも２つの以下の実施様態が存在する。すなわち、
【０１１６】
第１の実施様態において、強化された物理チャネル伝送の開始サブフレームが、以下の様態で獲得されることが可能である。すなわち、
【０１１７】
例えば、強化された物理チャネル伝送機会の開始無線フレーム内の第（Ｏｃｃａｓｉｏｎ＿ｏｆｆｓｅｔ＋１）の物理チャネル伝送機会における第１のサブフレームは、強化された物理チャネル伝送の開始サブフレームであり、特に、Ｏｃｃａｓｉｏｎ＿ｏｆｆｓｅｔ＝０であり、又は
各強化された物理チャネル伝送レベルに対応する決定された開始無線フレーム内の第（Ｘ＋１）の物理チャネル伝送機会が、開始サブフレームとして使用され、ここで、Ｘ＝ｍｏｄ（ｍ×Ｒｅｐ＿ｎｕｍ，ＯＮ）であり、又は
強化された物理チャネル伝送の開始サブフレームインデックスＳＦｓｔａｒｔは、（１０×ｎｆ＋ＳＦｓｔａｒｔ−ＳＦ＿ｏｆｆｓｅｔ）  ｍｏｄ  Ｔ＝０を満たし、ここで、ｎｆは、無線フレームの番号であり、又は
強化された物理チャネル伝送の開始サブフレームＳＦｓｔａｒｔは、ｆｌｏｏｒ（ｎｓ／２）  ｍｏｄ  Ｔ＝ＳＦ＿ｏｆｆｓｅｔを満たし、ここで、ｆｌｏｏｒは、切り捨て関数であり、ｎｓは、開始サブフレーム内に含められたタイムスロットの番号であり、又は
強化された物理チャネル伝送の開始サブフレームＳＦｓｔａｒｔは、（ＳＦｓｔａｒｔ−ＳＦ＿ｏｆｆｓｅｔ）  ｍｏｄ  Ｔ＝０を満たす。
【０１１８】
第２の実施様態において、強化された物理チャネル伝送の開始物理チャネル伝送機会が、以下の様態で決定されることが可能である。すなわち、
強化された物理チャネル伝送機会の開始無線フレーム内の第（Ｏｃｃａｓｉｏｎ＿ｏｆｆｓｅｔ＋１）の物理チャネル伝送機会は、強化された物理チャネル伝送の開始物理チャネル伝送機会であり、特に、Ｏｃｃａｓｉｏｎ＿ｏｆｆｓｅｔ＝０であり、又は
各強化された物理チャネル伝送レベルに対応する決定された開始無線フレーム内の第（Ｘ＋１）の物理チャネル伝送機会が、開始物理チャネル伝送機会として使用され、ここで、Ｘ＝ｍｏｄ（ｍ×Ｒｅｐ＿ｎｕｍ，ＯＮ）であり、又は
強化された物理チャネル伝送の開始物理チャネル伝送機会Ｏｃｃａｓｉｏｎｓｔａｒｔは、（１０×ｎｆ＋Ｏｃｃａｓｉｏｎｓｔａｒｔ−Ｏｃｃａｓｉｏｎ＿ｏｆｆｓｅｔ）  ｍｏｄ  Ｔ＝０を満たし、ここで、ｎｆは、無線フレームの番号であり、又は
強化された物理チャネル伝送の開始物理チャネル伝送機会Ｏｃｃａｓｉｏｎｓｔａｒｔは、（Ｏｃｃａｓｉｏｎｓｔａｒｔ−Ｏｃｃａｓｉｏｎ＿ｏｆｆｓｅｔ）  ｍｏｄ  Ｔ＝０を満たす。
【０１１９】
ステップ３０３  決定された開始無線フレーム内の開始位置により強化された物理チャネル伝送を実行すること。
【０１２０】
例えば、強化された物理チャネル伝送は、Ｒｅｐ＿ｎｕｍの連続する物理チャネル伝送機会を使用し、物理チャネルは、各物理チャネル伝送機会において繰り返し伝送される。
【０１２１】
前述の実施形態に基づいて、この実施形態において、物理チャネルは、物理ランダムアクセスチャネルＰＲＡＣＨである。
【０１２２】
第１の情報は、強化されたＰＲＡＣＨ伝送の反復回数情報を含み、強化されたＰＲＡＣＨ伝送の反復回数情報は、強化されたＰＲＡＣＨ伝送の反復回数を決定する。システムは、Ｉの強化されたＰＲＡＣＨ伝送レベルを設定するものと想定され、Ｉは、０より大きい正の整数である。強化されたＰＲＡＣＨ伝送構成が、Ｉの強化されたＰＲＡＣＨ伝送レベルに対応する強化されたＰＲＡＣＨ伝送反復回数情報を決定する、すなわち、強化されたＰＲＡＣＨ伝送構成は、Ｉの強化されたＰＲＡＣＨ伝送レベルのすべてに対応する強化されたＰＲＡＣＨ伝送反復回数情報を決定する。例えば、Ｉの強化されたＰＲＡＣＨ伝送レベルのすべてに対応し、且つ強化されたＰＲＡＣＨ伝送構成によって決定される強化されたＰＲＡＣＨ伝送反復回数情報によって決定される反復回数は、Ｒｅｐ＿ｎｕｍ１，Ｒｅｐ＿ｎｕｍ２，．．．Ｒｅｐ＿ｎｕｍＩである。例として、１つのＰＲＡＣＨ構成情報、又は１つのＰＲＡＣＨ構成インデックスが、１つの強化されたＰＲＡＣＨ伝送構成に関連付けられる。すなわち、１つのＰＲＡＣＨ構成情報、又は１つのＰＲＡＣＨ構成インデックスが、Ｎの強化されたＲＰＡＣＨ伝送レベルに対応する強化されたＰＲＡＣＨ伝送反復回数情報に関連付けられる。
【０１２３】
第１の情報は、無線フレーム内のＰＲＡＣＨ伝送機会の構成情報、ＰＲＡＣＨ伝送機会の無線フレーム構成情報、ＰＲＡＣＨによって使用されるフォーマット、強化されたＰＲＡＣＨ伝送の無線フレームオフセット情報、強化されたＰＲＡＣＨ伝送のサブフレームオフセット情報、強化されたＰＲＡＣＨ伝送サイクル情報、又は強化されたＰＲＡＣＨ伝送のＰＲＡＣＨ伝送機会オフセット情報のうちの１つ又は複数を更に含む。強化されたＰＲＡＣＨ伝送の無線フレームオフセット情報、強化されたＰＲＡＣＨ伝送のサブフレームオフセット情報、強化されたＰＲＡＣＨ伝送のＰＲＡＣＨ伝送機会オフセット情報、又は強化されたＰＲＡＣＨ伝送サイクル情報のうちの１つ又は複数は、ＰＲＡＣＨ構成情報によって決定されても、事前定義されてもよい。
【０１２４】
フレーム構造タイプ１を有するシステムに関して、１つのＰＲＡＣＨ構成インデックス又はＰＲＡＣＨ構成情報は、第１の情報の中の以下の情報、すなわち、無線フレーム内のＰＲＡＣＨ伝送機会の構成情報、ＰＲＡＣＨ伝送機会の無線フレーム構成情報、及びＰＲＡＣＨによって使用されるフォーマット（すなわち、プリアンブルフォーマット）を決定する。例として、ＦＤＤの場合、ＰＲＡＣＨによって使用されるフォーマット（ｐｒｅａｍｂｌｅ  ｆｏｒｍａｔ）、ＰＲＡＣＨ伝送機会の無線フレーム構成情報（ｓｙｓｔｅｍ  ｆｒａｍｅ  ｎｕｍｂｅｒによって決定される）、及び無線フレーム内のＰＲＡＣＨ伝送機会の構成情報（ｓｕｂｆｒａｍｅ  ｎｕｍｂｅｒによって決定される）は、１つのＰＲＡＣＨ構成インデックスにより決定される。
【０１２５】
Ｉ＝３であり、Ｒｅｐ＿ｎｕｍ１＝１であり、Ｒｅｐ＿ｎｕｍ２＝２であり、Ｒｅｐ＿ｎｕｍ３＝４であり、３つの強化されたＰＲＡＣＨ伝送レベルに対応する構成されたＰＲＡＣＨ構成インデックスは、４２であり、すると、ｌｅｎ＝２であり、ＲＦ＿Ｄ＝１であり、ＯＮ＝３であるものと想定される。Ｋ＝１０２４であることがあらかじめ指定され、Ｏｃｃａｓｉｏｎ＿ｏｆｆｓｅｔは、無線フレーム内の第１のＰＲＡＣＨ伝送機会のインデックスであり、すると、Ｏｃｃａｓｉｏｎ＿ｏｆｆｓｅｔ＝０であることがあらかじめ指定され、ＲＦ＿ｏｆｆｓｅｔ＝０であることがあらかじめ指定され、強化されたＰＲＡＣＨ伝送サイクル情報が、強化されたＰＲＡＣＨ伝送機会の数量を単位とし、ｎ＝１であることがあらかじめ指定される。ｍが、整数であることが指定され、各強化された物理チャネル伝送レベルに対応する開始無線フレームが、決定される。
【０１２６】
強化されたＰＲＡＣＨ伝送レベル１に対応する強化された物理チャネル伝送機会の開始無線フレームは、
ＳＦＮ＝ｍｏｄ（ｆｌｏｏｒ（ｍ×１／３），１０２４）である。
【０１２７】
強化されたＰＲＡＣＨ伝送レベル２に対応する強化された物理チャネル伝送機会の開始無線フレームは、
ＳＦＮ＝ｍｏｄ（ｆｌｏｏｒ（ｍ×２／３），１０２４）である。
【０１２８】
強化されたＰＲＡＣＨ伝送レベル３に対応する強化された物理チャネル伝送機会の開始無線フレームは、
ＳＦＮ＝ｍｏｄ（ｆｌｏｏｒ（ｍ×４／３），１０２４）である。
【０１２９】
したがって、強化されたＰＲＡＣＨ伝送レベル１に対応する強化された物理チャネル伝送機会の開始無線フレームのＳＦＮは、
０，０，０，１，１，１，２，２，２，．．．である。
【０１３０】
強化されたＰＲＡＣＨ伝送レベル２に対応する強化された物理チャネル伝送機会の開始無線フレームのＳＦＮは、
０，０，１，２，２，３，４，４，５，６，６，７，８，８，．．．である。
【０１３１】
強化されたＰＲＡＣＨ伝送レベル３に対応する強化された物理チャネル伝送機会の開始無線フレームのＳＦＮは、
０，１，２，４，５，６，８，９，１０，１２，１３，．．．である。
【０１３２】
更に、各強化された物理チャネル伝送レベルに対応する開始無線フレーム内の開始サブフレームが、決定される。
【０１３３】
強化されたＰＲＡＣＨ伝送レベル１に対応する強化された物理チャネル伝送機会の開始無線フレーム内の開始サブフレームは、第（Ｘ＋１）の強化された物理チャネル伝送機会における第１のサブフレームであり、ここで、Ｘ＝ｍｏｄ（ｍ，３）である。
【０１３４】
強化されたＰＲＡＣＨ伝送レベル２に対応する強化された物理チャネル伝送機会の開始無線フレーム内の開始サブフレームは、第（Ｘ＋１）の強化された物理チャネル伝送機会における第１のサブフレームであり、ここで、Ｘ＝ｍｏｄ（ｍ×２，３）である。
【０１３５】
強化されたＰＲＡＣＨ伝送レベル３に対応する強化された物理チャネル伝送機会の開始無線フレーム内の開始サブフレームは、第（Ｘ＋１）の強化された物理チャネル伝送機会における第１のサブフレームであり、ここで、Ｘ＝ｍｏｄ（ｍ×４，３）である。
【０１３６】
したがって、強化されたＰＲＡＣＨ伝送レベル１に対応する強化された物理チャネル伝送機会の開始無線フレーム内の開始サブフレームは、
２，５，８，２，５，８，２，５，８，．．．である。
【０１３７】
強化されたＰＲＡＣＨ伝送レベル２に対応する強化された物理チャネル伝送機会の開始無線フレーム内の開始サブフレームは、
２，８，５，２，８，５，２，８，５，２，８，５，．．．である。
【０１３８】
強化されたＰＲＡＣＨ伝送レベル３に対応する強化された物理チャネル伝送機会の開始無線フレーム内の開始サブフレームは、
２，５，８，２，５，８，２，５，８，２，．．．である。
【０１３９】
フレーム構造タイプ２に関して、ＲＦ＿Ｄは、物理ランダムアクセスチャネル構成インデックスＰＲＡＣＨ  Ｃｏｎｆｉｇｕｒａｔｉｏｎ  Ｉｎｄｅｘによって示される１０ミリ秒当たりの密度、Ｄｅｎｓｉｔｙ  Ｐｅｒ  １０ｍｓによって決定され、ＯＮは、物理ランダムアクセスチャネル構成インデックス、並びにＴＤＤのアップリンク構成情報及びダウンリンク構成情報によって示される４タプル、
（外２）
0006492094.tif 000004
によって決定され、又はＯＮは、
（外３）
0006492094.tif 000005
及び物理ランダムアクセスチャネル構成インデックスによって示されるランダムアクセスプリアンブルフォーマットによって決定される。
【０１４０】
本発明における式におけるパラメータは、強化された物理チャネル伝送レベルに対応する決定される第１の情報、並びに強化された物理チャネル伝送レベルに対応し、且つ第１の情報により決定される強化された物理チャネル伝送のものである開始サブフレーム又は開始物理チャネル伝送機会、及び開始無線フレームであることに留意されたい。異なる強化された物理チャネル伝送レベルに関して、各強化された物理チャネル伝送レベルに対応する強化された物理チャネル伝送のものである開始サブフレーム又は開始物理チャネル伝送機会、及び開始無線フレームが、強化された物理チャネル伝送レベルに対応する第１の情報により決定される必要がある。前述の式に示されるとおり、特に、前述の式における１つ又は複数のパラメータは、強化された物理チャネル伝送レベルｉに関連付けられる、すなわち、そのパラメータとｉの間に関数関係が存在する。無論、強化された物理チャネル伝送レベルｉに関連付けられていない、前述の式における１つ又は複数のパラメータが存在することも可能である、すなわち、そのパラメータとｉの間に関数関係は存在しない。
【０１４１】
本発明の実施形態が、物理チャネルモードを決定するための方法を提供し、この方法は、
プリアンブルシーケンスを受信すること、及び
プリアンブルシーケンスが第１のリソース上で受信された場合、プリアンブルが第１のモードで伝送されたと決定すること、又はプリアンブルシーケンスが第２のリソース上で受信された場合、プリアンブルが第２のモードで、且つ／又は許容可能な最大送信電力で伝送されたと決定することであって、第１のモードは、通常の伝送モード又はカバレッジ強化されていない伝送モードであり、第２のモードは、強化された伝送モードであることを含む。
【０１４２】
本発明の実施形態が、物理チャネルモードを決定するための方法を提供し、この方法は、
ユーザ機器の第１のパラメータ値が第１の閾値以下であるかどうかを決定することであって、第１の閾値は、ユーザ機器の許容可能な最大送信電力、初期ターゲットプリアンブル受信電力、プリアンブルフォーマットに対応するオフセット値、電力ランピングステップ、プリアンブル伝送試行回数、又はターゲット物理アップリンクチャネル受信電力のうちの１つ又は複数により決定されること、及び
ユーザ機器の第１のパラメータ値が第１の閾値以下である場合、第１のリソースを使用することによって、且つ／又は第１のモードで物理チャネルを伝送することであって、第１のモードは、通常の伝送モード又はカバレッジ強化されていない伝送モードであり、又はユーザ機器の第１のパラメータ値が第１の閾値より大きい場合、第２のリソースを使用することによって、且つ／又は第２のモードで物理チャネルの強化された伝送を実行することであって、第２のモードは、強化された伝送モードであることを含む。
【０１４３】
本発明の実施形態は、方法を提供し、この方法は、
第１の送信電力を決定することであって、第１の送信電力は、プリアンブルが、レベルｎにより伝送される最終的な送信電力であり、ｎは、整数であること、及び
第１の送信電力により第２の送信電力を決定することであって、第２の送信電力は、プリアンブルが、レベルｎ＋１により伝送される送信電力であることを含む。
【０１４４】
レベルは、反復レベル、リソースレベル、レベル、強化レベル、反復回数、カバレッジ強化された値、あらかじめ指定されたチャネルの検出のレベル、又はあらかじめ指定されたチャネルの検出の回数のうちの１つ又は複数である。
【０１４５】
第１の送信電力により第２の送信電力を決定することは、第１の送信電力及び第２の情報により第２の送信電力を決定することを更に含み、第２の情報は、電力ランピング、第１の電力オフセット、又は第１のプリアンブル試行回数のうちの１つ又は複数である。
【０１４６】
第１の電力オフセットは、固定の電力オフセット又はレベル関連の電力オフセットであることが可能である。
【０１４７】
プリアンブルがレベルｎにより伝送される最終的な送信電力は、プリアンブルが、レベルｎにより電力ランピングを実行した後に得られる最高の送信電力、又はレベルｎによりプリアンブルが伝送される最大送信電力である。
【０１４８】
プリアンブルがレベルｎ＋１により伝送される送信電力は、レベルｎ＋１によりプリアンブルが伝送される初期送信電力、又はレベルｎ＋１によりプリアンブルが第ｍ回に伝送される送信電力であり、ｍは、正の整数である。
【０１４９】
レベル０は、プリアンブルが繰り返し伝送されない場合のレベルである。
【０１５０】
レベル１は、プリアンブルが繰り返し伝送されない場合のレベルであるが、レベル１を使用することによって実行されるプリアンブル伝送のために構成されたプリアンブル、時間、又は周波数リソースのうちの少なくとも１つは、レベル０を使用することによって実行されるプリアンブル伝送のために構成されたプリアンブル、時間、又は周波数リソースのうちの少なくとも１つとは異なる、或いはレベル１は、プリアンブルが繰り返し伝送される最低のレベルである、又はプリアンブルが繰り返し伝送される第１のレベルである。
【０１５１】
レベルｎ（ｎ＞１）は、プリアンブルが繰り返し伝送されるレベルである。
【０１５２】
例えば、レベル０は、プリアンブルが繰り返し伝送されない場合のレベルであり、すると、レベル０によりプリアンブルが伝送される最終的な送信電力は、ＰＰＲＡＣＨの最大値であり、ここで、ＰＰＲＡＣＨは、レベル０によりプリアンブルが伝送される送信電力であり、ＰＰＲＡＣＨは、ユーザ機器の許容可能な最大送信電力、ターゲットプリアンブル受信電力、又はパスロスのうちの１つ又は複数により決定される。例えば、ＰＰＲＡＣＨは、以下の式により決定される。すなわち、
ＰＰＲＡＣＨ＝ｍｉｎ｛ＰＣＭＡＸ，ｃ（ｉ），ＰＲＥＡＭＢＬＥ＿ＲＥＣＥＩＶＥＤ＿ＴＡＲＧＥＴ＿ＰＯＷＥＲ＋ＰＬＣ｝＿［ｄＢｍ］
ＰＣＭＡＸ，ｃ（ｉ）は、ユーザ機器の許容可能な最大送信電力であり、ＰＲＥＡＭＢＬＥ＿ＲＥＣＥＩＶＥＤ＿ＴＡＲＧＥＴ＿ＰＯＷＥＲは、ターゲットプリアンブル受信電力であり、ＰＬＣは、パスロスであり、ｍｉｎは、ミニマム関数である。
【０１５３】
例えば、レベルｎ＋１によりプリアンブルが伝送される第２の送信電力「ＰＰＲＡＣＨ，ｎ＋１」は、以下の式により決定されることが可能である。すなわち、
ＰＰＲＡＣＨ，ｎ＋１＝ｍｉｎ｛ＰＣＭＡＸ，ｃ（ｉ），ＰＰＲＡＣＨｍａｘ，ｎ＋ＤＥＬＴＡ＿ＬＥＶＥＬ｝
ＰＣＭＡＸ，ｃ（ｉ）は、ユーザ機器の許容可能な最大送信電力であり、「ＰＰＲＡＣＨｍａｘ，ｎ」は、レベルｎによりプリアンブルが伝送される最終的な送信電力であり、ＤＥＬＴＡ＿ＬＥＶＥＬは、第１の電力オフセットであり、ｍｉｎは、ミニマム関数である。
【０１５４】
別の例として、レベルｎ＋１によりプリアンブルが伝送される第２の送信電力「ＰＰＲＡＣＨ，ｎ＋１」は、以下の式により決定されることが可能である。すなわち、
ＰＰＲＡＣＨ，ｎ＋１＝ｍｉｎ｛ＰＣＭＡＸ，ｃ（ｉ），ＰＰＲＡＣＨｍａｘ，ｎ＋ＤＥＬＴＡ＿ＬＥＶＥＬ＋（ＰＲＥＡＭＢＬＥ＿ＴＲＡＮＳＭＩＳＳＩＯＮ＿ＣＯＵＮＴＥＲ＿ＣＵＲＲＥＮＴＬＥＶＥＬ−１）×ｐｏｗｅｒＲａｍｐｉｎｇＳｔｅｐ｝
ＰＣＭＡＸ，ｃ（ｉ）は、ユーザ機器の許容可能な最大送信電力であり、「ＰＰＲＡＣＨｍａｘ，ｎ」は、レベルｎによりプリアンブルが伝送される最終的な送信電力であり、ＤＥＬＴＡ＿ＬＥＶＥＬは、第１の電力オフセットであり、ＰＲＥＡＭＢＬＥ＿ＴＲＡＮＳＭＩＳＳＩＯＮ＿ＣＯＵＮＴＥＲ＿ＣＵＲＲＥＮＴＬＥＶＥＬは、レベルｎ＋１により実行されるプリアンブル伝送の回数であり、ｐｏｗｅｒＲａｍｐｉｎｇＳｔｅｐは、電力ランピングステップであり、ｍｉｎは、ミニマム関数である。
【０１５５】
本発明の実施形態が、ＰＲＡＣＨ伝送レベル情報及び／又は強化されたＰＲＡＣＨ伝送レベル情報を決定する様態を提供し、この様態は、
第１の情報によりＰＲＡＣＨ伝送の初期レベルを決定することであって、第１の情報は、ＵＥとネットワーク側の間のパスロス、基準信号受信電力、マスタ情報ブロック、システム情報ブロック、又はパスロス若しくはチャネル品質を反映することが可能な測定数量のうちの１つ又は複数であること、及び
初期レベルによりＰＲＡＣＨ伝送を実行することを特に含む。
【０１５６】
第１の情報が第１の閾値以下である場合、又は第１の情報が、第１の事前定義された規則を使用することによって決定される場合、ＰＲＡＣＨ伝送の初期レベルは、レベル０であり、第１の情報が第１の閾値以上である場合、又は第１の情報が、第２の事前定義された規則を使用することによって決定される場合、ＰＲＡＣＨ伝送の初期レベルは、レベル１であり、或いは
第１の情報が、第１の事前定義された規則を使用することによって決定される場合、ＰＲＡＣＨ伝送の初期レベルは、レベル０であり、第１の情報が、第２の事前定義された規則を使用することによって決定される場合、ＰＲＡＣＨ伝送の初期レベルは、レベル１であり、或いは
第１の情報が、第２の事前定義された規則を使用することによって決定されない場合、ＰＲＡＣＨ伝送の初期レベルは、レベル０であり、第１の情報が、第２の事前定義された規則を使用することによって決定される場合、ＰＲＡＣＨ伝送の初期レベルは、レベル１である。
【０１５７】
第１の閾値は、事前定義された閾値、又はシステムによって構成された閾値である。強化は、反復される伝送、スペクトル拡散伝送、時間間隔バンドリング伝送のうちの１つ又は複数である。第１の規則は、ＵＥが、強化されていないマスタ情報ブロックを受信することによってメイン情報を獲得し、且つ／又は強化されていないシステム情報ブロックを受信することによってシステム情報を獲得することである。第２の規則は、ＵＥが、強化されたマスタ情報ブロックを受信することによってメイン情報を獲得し、且つ／又は強化されたシステム情報ブロックを受信することによってシステム情報を獲得することである。
【０１５８】
初期レベルによりＰＲＡＣＨ伝送を実行することは、現在のレベルを使用することによってＰＲＡＣＨのランダムアクセスが不成功であった場合、１つのレベルを追加することによってＰＲＡＣＨ伝送を実行することである。
【０１５９】
レベル０は、プリアンブルが繰り返し伝送されない場合のレベルである。レベル１は、プリアンブルが繰り返し伝送されない場合のレベルであるが、レベル１を使用することによって実行されるプリアンブル伝送のために構成されたプリアンブル、時間、又は周波数リソースのうちの少なくとも１つは、レベル０を使用することによって実行されるプリアンブル伝送のために構成されたプリアンブル、時間、又は周波数リソースのうちの少なくとも１つとは異なる、或いはレベル１は、プリアンブルが繰り返し伝送される最低のレベルである、又はプリアンブルが繰り返し伝送される第１のレベルである。レベルｎ（ｎ＞１）は、プリアンブルが繰り返し伝送されるレベルである。
【０１６０】
例えば、ＰＲＡＣＨ伝送は、レベル０、１、２、及び３を有し、ＵＥと基地局の間のパスロスが≦ｘ  ｄＢである場合、ＰＲＡＣＨ伝送が、レベル０を初期レベルとして使用することによって実行されることが決定され、レベル０を使用することによってＵＥのランダムアクセスが不成功であった場合、ＵＥは、レベルを累進的に追加することによって（例えば、レベル１を使用することによって）ＰＲＡＣＨ伝送を実行する。ＵＥと基地局の間のパスロスが＞ｘ１ｄＢである（ｘ１は、ｘと同一であることも、ｘとは異なることも可能である）場合、ＰＲＡＣＨ伝送が、レベル１を初期レベルとして使用することによって実行されることが決定され、レベル１を使用することによってＵＥのランダムアクセスが不成功であった場合、ＵＥは、レベルを累進的に追加することによって（例えば、レベル２を使用することによって）ＰＲＡＣＨ伝送を実行する。
【０１６１】
図４は、本発明の実施形態による通信デバイスの概略構造図である。図４に示されるとおり、通信デバイスは、送信機４０１と、受信機４０２と、メモリ４０３と、送信機４０１、受信機４０２、及びメモリ４０３に別々に接続されたプロセッサ４０４とを含む。
【０１６２】
プロセッサ４０４は、１つ又は複数の強化された物理チャネル伝送レベルのそれぞれに対応する第１の情報を決定するように構成され、第１の情報は、物理チャネルの強化された伝送のものである反復構成情報及び強化された伝送構成情報を含み、プロセッサ４０４は、第１の情報により、各強化された物理チャネル伝送レベルに対応する強化された物理チャネル伝送機会の開始無線フレーム、及び強化された物理チャネル伝送機会の、開始無線フレーム内の開始位置を決定するように構成され、開始位置は、開始サブフレームであり、又は開始位置は、開始物理チャネル伝送機会であり、プロセッサ４０４は、開始無線フレームの開始位置を開始ポイントとして使用することによって物理チャネルの強化された伝送を実行するように構成される。
【０１６３】
この実施形態において、１つ又は複数の強化された物理チャネル伝送レベルのそれぞれに対応する第１の情報が、決定され、第１の情報は、物理チャネルの強化された伝送のものである反復構成情報及び強化された伝送構成情報を含み、各強化された物理チャネル伝送レベルに対応する強化された物理チャネル伝送機会の開始無線フレーム、及び強化された物理チャネル伝送機会の、開始無線フレーム内の開始位置が、第１の情報により決定され、開始位置は、開始サブフレームであり、又は開始位置は、開始物理チャネル伝送機会であり、物理チャネルの強化された伝送は、開始無線フレーム内の開始位置を開始ポイントとして使用することによってを実行される。したがって、異なるレベルの端末装置に関する物理チャネルの強化された伝送が、実施される。
【０１６４】
前述の実施形態に基づいて、強化された伝送構成情報は、強化された伝送構成情報は、強化された伝送のために使用される時間長の構成情報、無線フレーム内の物理チャネル伝送機会の構成情報、物理チャネル伝送機会の無線フレーム構成情報、強化された伝送のサイクル情報、物理チャネルによって使用されるフォーマット、強化された伝送の無線フレームオフセット情報、強化された伝送のサブフレームオフセット情報、物理チャネル伝送機会オフセット情報、ルートシーケンスインデックス情報、高速識別情報、ゼロ相関ゼロ構成情報、及び周波数オフセット情報の中の１つ又は複数のタイプの情報を含む。
【０１６５】
更に、前述の実施形態に基づいて、複数の強化された物理チャネル伝送レベルに対応する第１の情報の中の少なくとも１つのタイプの情報は、同一である。
【０１６６】
更に、前述の実施形態に基づいて、複数の強化された物理チャネル伝送レベルに対応する、無線フレーム内の物理チャネル伝送機会の構成情報、物理チャネル伝送機会の無線フレーム構成情報、物理チャネルによって使用されるフォーマット、強化された物理チャネル伝送の無線フレームオフセット情報、強化された物理チャネル伝送のサブフレームオフセット情報、強化された物理チャネル伝送の物理チャネル伝送機会オフセット情報、ルートシーケンスインデックス情報、高速識別情報、ゼロ相関ゼロ構成情報、及び周波数オフセット情報の中の少なくとも１つのタイプの情報は、同一である。
【０１６７】
前述の実施形態に基づいて、複数の強化された物理チャネル伝送レベルに対応する、強化された物理チャネル伝送の反復構成情報、強化された物理チャネル伝送のために使用される時間長の構成情報、及び強化された物理チャネル伝送サイクル情報の中の少なくとも１つのタイプの情報は、異なる。
【０１６８】
前述の実施形態に基づいて、強化された物理チャネル伝送の間隔は、サイクル情報、無線フレーム構成情報、反復構成情報、及び無線フレーム内の物理チャネル伝送機会の構成情報の中の１つ又は複数のタイプの情報により決定される。
【０１６９】
前述の実施形態に基づいて、プロセッサ２０４は、反復構成情報、無線フレーム構成情報、及び無線フレーム内の物理チャネル伝送機会の構成情報の中の１つ又は複数のタイプの情報により物理チャネルの強化された伝送の反復回数を決定するように、又は反復構成情報及び第２のパラメータ情報により物理チャネルの強化された伝送の反復回数を決定するように更に構成され、第２のパラメータは、プリアンブルフォーマット若しくは強化された物理チャネル伝送レベルにより決定されるパラメータである。
【０１７０】
前述の実施形態に基づいて、プロセッサ４０４は、無線フレーム内の開始位置を開始ポイントとして使用することによって反復回数の連続する物理チャネル伝送機会のそれぞれにおいて物理チャネルを繰り返し伝送するように特に構成される。
【０１７１】
前述の実施形態に基づいて、開始無線フレームのシステムフレーム番号ＳＦＮが、強化された伝送サイクル及び無線フレームオフセットにより決定される。
【０１７２】
前述の実施形態に基づいて、ＳＦＮは、以下の式により獲得される値である。すなわち、
式は、ＳＦＮ  ｍｏｄ（強化された物理チャネル伝送の間隔）＝強化された物理チャネル伝送の無線フレームオフセット、又は（１０×ＳＦＮ＋ＳＦｓｔａｒｔ−ＳＦ＿ｏｆｆｓｅｔ）  ｍｏｄ  Ｔ＝０であり、ここで、ＳＦ＿ｏｆｆｓｅｔは、サブフレームオフセットであり、ＳＦｓｔａｒｔは、開始サブフレームのインデックスであり、Ｔは、強化された物理チャネル伝送の間隔であり、ｍｏｄは、モジュロ関数であり、又は
ＳＦＮ＝ＲＦ＿Ｄ×ｆｌｏｏｒ（（ｍ×Ｒｅｐ＿ｎｕｍ＋Ｏｃｃａｓｉｏｎ＿ｏｆｆｓｅｔ／ＯＮ）＋ＲＦ＿ｏｆｆｓｅｔであり、又は
ＳＦＮ＝ｍｏｄ（ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ，Ｋ）であり、又は
ＳＦＮ＝ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ、且つＳＦＮ  ｍｏｄ  Ｔ＝ＲＦ＿ｏｆｆｓｅｔであり、又は
ＳＦＮ＝ｍｏｄ（ＲＦ＿Ｄ×ｆｌｏｏｒ（（ｍ×Ｒｅｐ＿ｎｕｍ＋Ｏｃｃａｓｉｏｎ＿ｏｆｆｓｅｔ）／ＯＮ）＋ＲＦ＿ｏｆｆｓｅｔ，Ｋ）、且つＳＦＮ  ｍｏｄ  Ｔ＝ＲＦ＿ｏｆｆｓｅｔであり、又は
ＳＦＮ  ｍｏｄ  （Ｔ×ＲＦ＿Ｄ×Ｒｅｐ＿ｎｕｍ／ＯＮ）＝ＲＦ＿ｏｆｆｓｅｔであり、又は
ＳＦＮ  ｍｏｄ  （ＲＦ＿Ｄ×Ｒｅｐ＿ｎｕｍ／ＯＮ）＝ＲＦ＿ｏｆｆｓｅｔ、ここで、Ｒｅｐ＿ｎｕｍは、反復回数であり、ＲＦ＿Ｄは、物理チャネル伝送機会の無線フレーム構成情報によって決定され、Ｏｃｃａｓｉｏｎ＿ｏｆｆｓｅｔは、物理チャネル伝送機会オフセットであり、ＯＮは、物理チャネル伝送機会を有する無線フレームに含められた物理チャネル伝送機会の数量であり、ＲＦ＿ｏｆｆｓｅｔは、無線フレームオフセットであり、Ｋは、固定の定数であり、Ｔは、強化された物理チャネル伝送の間隔であり、ｍは、０以上の整数であり、ｆｌｏｏｒは、切り捨て関数であり、ｍｏｄは、モジュロ関数である。
【０１７３】
前述の実施形態に基づいて、強化された物理チャネル伝送の開始サブフレームは、開始無線フレーム内の第（Ｏｃｃａｓｉｏｎ＿ｏｆｆｓｅｔ＋１）の物理チャネル伝送機会における第１のサブフレームであり、又は
開始サブフレームのインデックスＳＦｓｔａｒｔは、以下の式により獲得される値であり、すなわち、
（１０×ｎｆ＋ＳＦｓｔａｒｔ−ＳＦ＿ｏｆｆｓｅｔ）  ｍｏｄ  Ｔ＝０であり、又は
ｆｌｏｏｒ（ｎｓ／２）  ｍｏｄ  Ｔ＝ＳＦ＿ｏｆｆｓｅｔであり、又は
（ＳＦｓｔａｒｔ−ＳＦ＿ｏｆｆｓｅｔ）  ｍｏｄ  Ｔ＝０であり、又は
各強化された物理チャネル伝送レベルに対応する開始無線フレーム内の第（Ｘ＋１）の物理チャネル伝送機会における第１のサブフレームが、開始サブフレームとして使用され、ここで、
Ｘ＝ｍｏｄ（ｍ×Ｒｅｐ＿ｎｕｍ，ＯＮ）であり、Ｒｅｐ＿ｎｕｍは、反復回数であり、Ｏｃｃａｓｉｏｎ＿ｏｆｆｓｅｔは、物理チャネル伝送機会オフセットであり、ＯＮは、物理チャネル伝送機会を有する無線フレームに含められた物理チャネル伝送機会の数量であり、Ｔは、強化された伝送間隔であり、ｎｆは、無線フレームの番号であり、ＳＦ＿ｏｆｆｓｅｔは、サブフレームオフセットであり、ｎｓは、開始サブフレーム内のタイムスロットの番号であり、ｍは、０以上の整数であり、ｍｏｄは、モジュロ関数であり、ｆｌｏｏｒは、切り捨て関数である。
【０１７４】
前述の実施形態に基づいて、開始物理チャネル伝送機会は、開始無線フレーム内の第（Ｏｃｃａｓｉｏｎ＿ｏｆｆｓｅｔ＋１）の物理チャネル伝送機会であり、又は
開始物理チャネル伝送機会は、各強化された物理チャネル伝送レベルに対応する開始無線フレーム内の第（Ｘ＋１）の物理チャネル伝送機会であり、ここで、Ｘ＝ｍｏｄ（ｍ×Ｒｅｐ＿ｎｕｍ，ＯＮ）であり、且つ
開始物理チャネル伝送機会のインデックスＯｃｃａｓｉｏｎｓｔａｒｔは、以下の式により獲得される値であり、式は、以下を含む。すなわち、
（１０×ｎｆ＋Ｏｃｃａｓｉｏｎｓｔａｒｔ−Ｏｃｃａｓｉｏｎ＿ｏｆｆｓｅｔ）  ｍｏｄ  Ｔ＝０であり、又は
（Ｏｃｃａｓｉｏｎｓｔａｒｔ−Ｏｃｃａｓｉｏｎ＿ｏｆｆｓｅｔ）  ｍｏｄ  Ｔ＝０であり、ここで、Ｒｅｐ＿ｎｕｍは、反復回数であり、Ｏｃｃａｓｉｏｎ＿ｏｆｆｓｅｔは、物理チャネル伝送機会オフセットであり、ＯＮは、物理チャネル伝送機会を有する無線フレームに含められた物理チャネル伝送機会の数量であり、Ｔは、強化された物理チャネル伝送の間隔であり、ｎｆは、無線フレームの番号であり、ｍは、０以上の整数であり、ｍｏｄは、モジュロ関数であり、ｆｌｏｏｒは、切り捨て関数である。
【０１７５】
更に、前述の実施形態に基づいて、強化された物理チャネル伝送の無線フレームオフセットは、０であり、且つ／又は
サブフレームオフセットは、無線フレーム内の第１の物理チャネル伝送機会における第１のサブフレームのインデックスであり、且つ／又は
強化された物理チャネル伝送の物理チャネル伝送機会オフセットは、０である。
【０１７６】
前述の実施形態に基づいて、プロセッサ４０４は、第１の閾値により、１つ又は複数の強化された物理チャネル伝送レベルのそれぞれに対応する第１の情報を決定するように更に構成され、第１の閾値は、ユーザ機器の許容可能な最大送信電力、初期ターゲットプリアンブル受信電力、プリアンブルフォーマットに対応するオフセット値、電力ランピングステップ、プリアンブル伝送試行回数、又はターゲット物理アップリンクチャネル受信電力のうちの１つ又は複数により決定される。
【０１７７】
図５は、本発明の実施形態による基地局の概略構造図である。図５に示されるとおり、基地局は、送信機５０１と、受信機５０２と、メモリ５０３と、送信機５０１、受信機５０２、及びメモリ５０３に別々に接続されたプロセッサ５０４とを含む。受信機５０２は、プリアンブルシーケンスを受信するように構成される。プロセッサ５０４は、プリアンブルシーケンスが第１のリソース上で受信された場合、プリアンブルが第１のモードで伝送されたと決定し、又はプリアンブルシーケンスが第２のリソース上で受信された場合、プリアンブルが第２のモードで、且つ／又は許容可能な最大送信電力で伝送されたと決定するように構成され、第１のモードは、通常の伝送モード又はカバレッジ強化されていない伝送モードであり、第２のモードは、強化された伝送モードである。
【０１７８】
図６は、本発明の実施形態によるユーザ機器の概略構造図である。ユーザ機器は、送信機６０１と、受信機６０２と、メモリ６０３と、送信機６０１、受信機６０２、及びメモリ６０３に別々に接続されたプロセッサ６０４とを含む。プロセッサ６０４は、ユーザ機器の第１のパラメータ値が第１の閾値以下であるかどうかを決定するように構成され、第１の閾値は、ユーザ機器の許容可能な最大送信電力、初期ターゲットプリアンブル受信電力、プリアンブルフォーマットに対応するオフセット値、電力ランピングステップ、プリアンブル伝送試行回数、又はターゲット物理アップリンクチャネル受信電力のうちの１つ又は複数により決定され、ユーザ機器の第１のパラメータ値が第１の閾値以下である場合、プロセッサは、第１のリソースを使用することによって、且つ／又は第１のモードで物理チャネルを伝送するように構成され、第１のモードは、通常の伝送モード又はカバレッジ強化されていない伝送モードであり、又はユーザ機器の第１のパラメータ値が第１の閾値より大きい場合、プロセッサは、第２のリソースを使用することによって、且つ／又は第２のモードで物理チャネルの強化された伝送を実行するように構成され、第２のモードは、強化された伝送モードである。
【０１７９】
当業者は、方法実施形態のステップのすべて又は幾つかが、関係のあるハードウェアに命令するプログラムによって実施され得ることを理解することができる。そのプログラムは、コンピュータ可読記憶媒体の中に記憶されることが可能である。プログラムが実行すると、方法実施形態のステップが、実行される。前述の記憶媒体は、ＲＯＭ、ＲＡＭ、磁気ディスク、又は光ディスクなどのプログラムコードを記憶することができる任意の媒体を含む。
【０１８０】
最後に、前述の実施形態は、本発明の技術的ソリューションを説明することだけを意図しており、本発明を限定することは意図していないことに留意されたい。本発明は、前述の実施形態を参照して詳細に説明されるものの、当業者は、それでも、本発明の実施形態の技術的ソリューションの範囲を逸脱することなく、前述の実施形態において説明される技術的ソリューションの変形を行うこと、又は前述の実施形態の幾つかの技術的特徴又はすべての技術的特徴と均等の置換を行うことができることを理解するはずである。
【図１】
0006492094.tif 000006
【図２】
0006492094.tif 000007
【図３】
0006492094.tif 000008
【図４】
0006492094.tif 000009
【図５】
0006492094.tif 000010
【図６】
0006492094.tif 000011